(57)【要約】【課題】記憶素子の脱落を防止することが可能な画像形成装置を提供する。【解決手段】画像形成装置は、トナーを収納するトナー収納部と潜像を形成すると共にその潜像にトナーを付着させる現像処理部とを含む現像部と、潜像に付着されたトナーを媒体に転写させる転写部と、媒体に転写されたトナーをその媒体に定着させる定着部とを備える。トナー収納部よび現像処理部のうちの少なくとも一方は、情報を記憶する記憶素子と、その記憶素子を取り付けるための取付部とを含む。取付部は、第１方向に延在する第１突起部とその第１突起部に設けられると共に第１方向と交差する第２方向に延在する挿入口とを有する蓋部材と、第１方向に延在すると共に第１突起部が挿入された第１窪み部と第２方向に延在すると共に第１窪み部に連通された貫通口とを有する支持部材と、蓋部材と支持部材との間に記憶素子が挟まれた状態において貫通口および挿入口にこの順に挿入された挿入部材とを含む。【選択図】図６
2018077448.tif 000002
【特許請求の範囲】
【請求項１】
トナーを収納する収納部と、
情報を記憶する記憶素子と、
前記収納部に前記記憶素子を取り付けるための取付部と
を備え、
前記取付部は、
第１方向に延在する第１突起部と、前記第１突起部に設けられると共に前記第１方向と交差する第２方向に延在する挿入口とを有する蓋部材と、
前記第１方向に延在すると共に前記第１突起部が挿入された第１窪み部と、前記第２方向に延在すると共に前記第１窪み部に連通された貫通口とを有する支持部材と、
前記蓋部材と前記支持部材との間に前記記憶素子が挟まれた状態において、前記貫通口および前記挿入口にこの順に挿入された挿入部材と
を含む、トナー収納器。
【請求項２】
前記貫通口は、
前記挿入口から遠い側に配置されると共に、前記挿入口に近づくにしたがって内径が次第に減少する内径減少部と、
前記挿入口に近い側に配置されると共に、前記内径が一定である内径一定部と
を含む、請求項１記載のトナー収納器。
【請求項３】
前記貫通口に近い側における前記挿入部材の端部は、前記内径一定部の内部に位置している、
請求項２記載のトナー収納器。
【請求項４】
前記挿入部材は、一端から順に、
外径が次第に増加する外径増加部と、
前記外径が一定である外径一定部と
を含む、請求項１ないし請求項３のいずれか１項に記載のトナー収納器。
【請求項５】
前記挿入口は、貫通口であり、
前記挿入口に近い側における前記挿入部材の端部は、前記挿入口の外部に位置している、
請求項１ないし請求項４のいずれか１項に記載のトナー収納器。
【請求項６】
前記外径増加部は、前記挿入口の外部に位置している、
請求項５記載のトナー収納器。
【請求項７】
前記挿入部材は、外力に応じて収縮変形可能であり、
前記挿入部材の外径は、全体的に、前記挿入口および前記貫通口のそれぞれの内径よりも大きいか、
または、前記挿入部材の外径は、部分的に、前記挿入口および前記貫通口のそれぞれの内径よりも大きい、
請求項１ないし請求項６のいずれか１項に記載のトナー収納器。
【請求項８】
前記蓋部材は、さらに、前記第１方向に延在する第２突起部を有し、
前記支持体は、さらに、前記第１方向に延在すると共に前記第２突起部が挿入された第２窪み部を有する、
請求項１ないし請求項７のいずれか１項に記載のトナー収納器。
【請求項９】
前記記憶素子は、前記第１窪み部と前記第２窪み部との間に配置されている、
請求項８記載のトナー収納器。
【請求項１０】
前記支持部材は、さらに、前記記憶素子が配置される領域以外の領域に配置された１または２以上の第３突起部を有する、
請求項１ないし請求項９のいずれか１項に記載のトナー収納器。
【請求項１１】
前記支持部材は、２つの前記第３突起部を含み、
前記記憶素子は、前記２つの第３突起部の間に配置されている、
請求項１０記載のトナー収納器。
【請求項１２】
前記蓋部材は、さらに、前記記憶素子を被覆すると共に前記第１突起部が連結された蓋部を有し、
前記第１突起部に近い側における前記蓋部の厚さは、前記第１突起部から遠い側における前記蓋部の厚さよりも小さい、
請求項１ないし請求項１１のいずれか１項に記載のトナー収納器。
【請求項１３】
前記支持部材は、さらに、前記蓋部材に沿うように設けられた１または２以上の壁部を有する、
請求項１ないし請求項１２のいずれか１項に記載のトナー収納器。
【請求項１４】
前記壁部は、
前記蓋部材の外壁面に沿うように配置された第１壁部と、
前記蓋部剤の内壁面に沿うように配置された第２壁部と
を含む、請求項１３記載のトナー収納器。
【請求項１５】
前記蓋部材は、前記第１方向において前記記憶素子を部分的に露出させるための第１開口部を有する、
請求項１ないし請求項１４のいずれか１項に記載のトナー収納器。
【請求項１６】
前記支持部材は、さらに、前記記憶素子が配置される領域と重なる領域に設けられた１または２以上の第４突起部を有する、
請求項１５記載のトナー収納器。
【請求項１７】
前記蓋部材は、前記第２方向において前記第４突起部と重なる位置に第２開口部を有する、
請求項１６記載のトナー収納器。
【請求項１８】
前記支持部材は、さらに、前記蓋部材に沿うように設けられた１または２以上の壁部を有し、
前記１または２以上の壁部は、前記第２方向において前記第４突起部と重なる位置に第３開口部を有する、
請求項１６または請求項１７に記載のトナー収納器。
【請求項１９】
前記挿入口の内径は、前記貫通口の内径および前記挿入部材の外径のそれぞれよりも大きい、
請求項１ないし請求項１８のいずれか１項に記載のトナー収納器。
【請求項２０】
前記蓋部材は、さらに、前記第２方向に延在する旋回軸を有すると共に、前記記憶素子を被覆すると共に前記第１突起部が前記第１窪み部に挿入されるように前記旋回軸を中心として旋回されている、
請求項１ないし請求項７のいずれか１項に記載のトナー収納器。
【請求項２１】
前記第２方向における前記第１窪み部の寸法は、前記第２方向における前記第１突起部の寸法よりも大きく
前記蓋部材は、前記第１突起部が前記第１窪み部に挿入された状態において、前記第２方向に移動している、
請求項２０記載のトナー収納器。
【請求項２２】
前記挿入口は、非貫通口である、
請求項２１記載のトナー収納器。
【請求項２３】
前記蓋部材は、さらに、前記第２方向に延在する１または２以上の第５突起部を有し、
前記支持部材は、前記１または２以上の第５突起部が挿入された１または２以上の第４開口部を有する、
請求項２１または請求項２２に記載のトナー収納器。
【請求項２４】
前記第２方向における前記挿入部材の寸法は、前記第２方向における前記挿入口の寸法と前記第２方向における前記貫通口の寸法との和以下である、
請求項２０ないし請求項２３のいずれか１項に記載のトナー収納器。
【請求項２５】
前記蓋部材は、さらに、
前記旋回軸が連結された延設部と、
前記記憶素子を被覆すると共に前記第１突起部および前記延設部が連結された蓋部と
を有し、
前記記憶素子から遠ざかる方向に前記蓋部を持ち上げる力に応じて、前記延設部が前記蓋部から分離可能である、
請求項２０ないし請求項２４のいずれか１項に記載のトナー収納器。
【請求項２６】
前記蓋部材は、前記第１突起部と前記蓋部とが互いに連結された位置に、前記第２方向に延在する切り込みを有し、
前記記憶素子から遠ざかる方向に前記蓋部を持ち上げる力に応じて、前記切り込みが設けられている位置において前記蓋部材が屈曲可能である、
請求項２５記載のトナー収納器。
【請求項２７】
トナーを収納するトナー収納部と、
潜像を形成すると共に前記潜像に前記トナーを付着させる現像処理部と
を備え、
前記トナー収納部よび前記現像処理部のうちの少なくとも一方は、
情報を記憶する記憶素子と、
前記記憶素子を取り付けるための取付部と
を含み、
前記取付部は、
第１方向に延在する第１突起部と、前記第１突起部に設けられると共に前記第１方向と交差する第２方向に延在する挿入口とを有する蓋部材と、
前記第１方向に延在すると共に前記第１突起部が挿入された第１窪み部と、前記第２方向に延在すると共に前記第１窪み部に連通された貫通口とを有する支持部材と、
前記蓋部材と前記支持部材との間に前記記憶素子が挟まれた状態において、前記貫通口および前記挿入口にこの順に挿入された挿入部材と
を含む、画像形成ユニット。
【請求項２８】
トナーを収納するトナー収納部と、潜像を形成すると共に前記潜像にトナーを付着させる現像処理部とを含む現像部と、
前記潜像に付着された前記トナーを媒体に転写させる転写部と、
前記媒体に転写された前記トナーを前記媒体に定着させる定着部と
を備え、
前記トナー収納部よび前記現像処理部のうちの少なくとも一方は、
情報を記憶する記憶素子と、
前記記憶素子を取り付けるための取付部と
を含み、
前記取付部は、
第１方向に延在する第１突起部と、前記第１突起部に設けられると共に前記第１方向と交差する第２方向に延在する挿入口とを有する蓋部材と、
前記第１方向に延在すると共に前記第１突起部が挿入された第１窪み部と、前記第２方向に延在すると共に前記第１窪み部に連通された貫通口とを有する支持部材と、
前記蓋部材と前記支持部材との間に前記記憶素子が挟まれた状態において、前記貫通口および前記挿入口にこの順に挿入された挿入部材と
を含む、画像形成装置。
【発明の詳細な説明】
【技術分野】
【０００１】
本発明は、トナーを収納するトナー収納器、ならびにそのトナー収納器を用いた画像形成ユニットおよび画像形成装置に関する。
【背景技術】
【０００２】
電子写真方式の画像形成装置が広く普及している。インクジェット方式などの他の方式の画像形成装置と比較して、鮮明な画像が短時間で得られるからである。
【０００３】
電子写真方式の画像形成装置は、潜像（静電潜像）を形成すると共にその静電潜像にトナーを付着させる画像形成ユニットを備えており、その画像形成ユニットは、トナーを収納するトナー収納器を含んでいる。
【０００４】
画像の形成工程では、静電潜像に付着されたトナーが媒体に転写されたのち、そのトナーが媒体に定着されるため、その媒体の表面に画像が形成される。
【０００５】
画像形成装置の構成に関しては、既に様々な提案がなされている。具体的には、画像形成装置が画像を形成するために必要な情報を取得できるようにするために、その情報を記憶した記憶素子（基板部材）が用いられている（例えば、特許文献１参照。）。この記憶素子には、トナーに関する情報などが記憶されている。
【先行技術文献】
【特許文献】
【０００６】
【特許文献１】特開２０１４−２２８５９６号公報
【発明の概要】
【発明が解決しようとする課題】
【０００７】
記憶素子を用いる場合には、その記憶素子の使用に伴う不具合の発生を防止する必要がある。具体的には、記憶素子の紛失などを回避するために、その記憶素子が脱落することを防止しなければならない。
【０００８】
本発明はかかる問題点に鑑みてなされたもので、その目的は、記憶素子の脱落を防止することが可能なトナー収納器、画像形成ユニットおよび画像形成装置を提供することにある。
【課題を解決するための手段】
【０００９】
本発明の一実施形態のトナー収納器は、トナーを収納する収納部と、情報を記憶する記憶素子と、収納部に記憶素子を取り付けるための取付部とを備えたものである。この取付部は、第１方向に延在する第１突起部とその第１突起部に設けられると共に第１方向と交差する第２方向に延在する挿入口とを有する蓋部材と、第１方向に延在すると共に第１突起部が挿入された第１窪み部とその第２方向に延在すると共に第１窪み部に連通された貫通口とを有する支持部材と、蓋部材と支持部材との間に記憶素子が挟まれた状態において貫通口および挿入口にこの順に挿入された挿入部材とを含む。
【００１０】
本発明の一実施形態の画像形成ユニットは、トナーを収納するトナー収納部と、潜像を形成すると共にその潜像にトナーを付着させる現像処理部とを備えたものである。トナー収納部よび現像処理部のうちの少なくとも一方は、情報を記憶する記憶素子と、その記憶素子を取り付けるための取付部とを含む。この取付部は、第１方向に延在する第１突起部とその第１突起部に設けられると共に第１方向と交差する第２方向に延在する挿入口とを有する蓋部材と、第１方向に延在すると共に第１突起部が挿入された第１窪み部とその第２方向に延在すると共に第１窪み部に連通された貫通口とを有する支持部材と、蓋部材と支持部材との間に記憶素子が挟まれた状態において貫通口および挿入口にこの順に挿入された挿入部材とを含む。
【００１１】
本発明の一実施形態の画像形成装置は、トナーを収納するトナー収納部と、潜像を形成すると共にその潜像にトナーを付着させる現像処理部とを含む現像部と、潜像に付着されたトナーを媒体に転写させる転写部と、媒体に転写されたトナーをその媒体に定着させる定着部とを備えたものである。トナー収納部よび現像処理部のうちの少なくとも一方は、情報を記憶する記憶素子と、その記憶素子を取り付けるための取付部とを含む。この取付部は、第１方向に延在する第１突起部とその第１突起部に設けられると共に第１方向と交差する第２方向に延在する挿入口とを有する蓋部材と、第１方向に延在すると共に第１突起部が挿入された第１窪み部と第２方向に延在すると共に第１窪み部に連通された貫通口とを有する支持部材と、蓋部材と支持部材との間に記憶素子が挟まれた状態において貫通口および挿入口にこの順に挿入された挿入部材とを含む。
【発明の効果】
【００１２】
本発明の一実施形態のトナー収納器、画像形成ユニットまたは画像形成装置によれば、取付部では、蓋部材の第１突起部が支持部材の第１窪み部に挿入されることにより、その蓋部材と支持部材との間に記憶素子が挟まれた状態において、その支持部材に設けられた貫通口および蓋部材に設けられた挿入口にこの順に挿入部材が挿入されている。よって、記憶素子の脱落を防止することができる。
【図面の簡単な説明】
【００１３】
【図１】本発明の第１実施形態のトナー収納器（トナーカートリッジ）の構成を表す斜視図である。
【図２】図１に示したトナーカートリッジのうちの主要部の構成を表す斜視図である。
【図３】図１に示したトナーカートリッジのうちの主要部の他の構成を表す斜視図である。
【図４】図１に示したトナーカートリッジのうちの主要部の構成を表す平面図である。
【図５】図１に示したトナーカートリッジのうちの主要部の構成を拡大して表す断面図である。
【図６】図１に示したトナーカートリッジのうちの主要部の他の構成を拡大して表す断面図である。
【図７】挿入部材の構成を表す平面図である。
【図８】挿入部材の他の構成を表す平面図である。
【図９】本発明の第２実施形態のトナー収納器（トナーカートリッジ）の構成を表す斜視図である。
【図１０】図９に示したトナーカートリッジのうちの主要部の構成を表す平面図である。
【図１１】図９に示したトナーカートリッジのうちの主要部の構成を表す斜視図である。
【図１２】図９に示したトナーカートリッジのうちの主要部の構成を表す断面図である。
【図１３】カバーの構成を表す平面図である。
【図１４】図１０に示したＡ−Ａ線に沿ったトナーカートリッジの構成を拡大して表す断面図である。
【図１５】図１０に示したＡ−Ａ線に沿ったトナーカートリッジの他の構成を拡大して表す断面図である。
【図１６】本発明の第３実施形態のトナー収納器（トナーカートリッジ）の構成を表す斜視図である。
【図１７】図１６に示したトナーカートリッジを分解した構成を表す斜視図である。
【図１８】図１６に示したトナーカートリッジのうちの主要部の構成を表す斜視図である。
【図１９】図１８に示したトナーカートリッジの一部の構成を拡大して表す斜視図である。
【図２０】図１８に示したトナーカートリッジの一部の他の構成を拡大して表す他の斜視図である。
【図２１】図１８に示したトナーカートリッジの一部の他の構成を拡大して表す他の斜視図である。
【図２２】図１８に示したトナーカートリッジの一部の他の構成を拡大して表す他の斜視図である。
【図２３】図２２に示したトナーカートリッジの一部断面の構成を表す斜視図である。
【図２４】図２３に示したトナーカートリッジの構成を表す断面図である。
【図２５】図１８に示したトナーカートリッジの一部の他の構成を拡大して表す他の斜視図である。
【図２６】図１８に示したトナーカートリッジの一部の他の構成を拡大して表す他の斜視図である。
【図２７】図２６に示したトナーカートリッジの一部断面の構成を表す斜視図である。
【図２８】図２７に示したトナーカートリッジの構成を表す断面図である。
【図２９】図２６に示したトナーカートリッジの一部断面の構成を表す斜視図である。
【図３０】図２９に示したトナーカートリッジの構成を表す断面図である。
【図３１】図２６に示したトナーカートリッジの一部断面の構成を表す斜視図である。
【図３２】図３１に示したトナーカートリッジの構成を表す断面図である。
【図３３】図２６に示したトナーカートリッジの他の構成を表す斜視図である。
【図３４】図３３に示したトナーカートリッジの一部断面の構成を表す斜視図である。
【図３５】図３４に示したトナーカートリッジの構成を表す断面図である。
【図３６】図２６に示したトナーカートリッジの他の構成を表す斜視図である。
【図３７】図２６に示したトナーカートリッジの他の構成を表す斜視図である。
【図３８】図３７に示したトナーカートリッジの一部断面の構成を表す斜視図である。
【図３９】図３８に示したトナーカートリッジの構成を表す断面図である。
【図４０】図２６に示したトナーカートリッジの他の構成を表す斜視図である。
【図４１】本発明の一実施形態の画像形成ユニットの構成（構成例１）を表す平面図である。
【図４２】本発明の一実施形態の画像形成ユニットの構成（構成例２）を表す平面図である。
【図４３】本発明の一実施形態の画像形成ユニットの構成（構成例３）を表す平面図である。
【図４４】本発明の一実施形態の画像形成装置の構成（構成例１）を表す平面図である。
【図４５】本発明の一実施形態の画像形成装置の構成（構成例２）を表す平面図である。）
【図４６】カバーの構成に関する変形例を説明するための平面図である。
【発明を実施するための形態】
【００１４】
以下、本発明の一実施形態に関して、図面を参照して詳細に説明する。なお、説明する順序は、下記の通りである。
１．トナー収納器（第１実施形態）
１−１．全体構成
１−２．取付部の構成
１−３．トナーの構成
１−４．メモリ基板の取り付け手順
１−５．作用および効果
２．トナー収納器（第２実施形態）
２−１．構成
２−２．メモリ基板の取り付け手順
２−３．作用および効果
３．トナー収納器（第３実施形態）
３−１．構成
３−２．ＲＦＩＤタグの取り付け手順
３−３．ＲＦＩＤタグの取り外し手順
３−４．作用および効果
４．画像形成ユニット
４−１．構成
４−１−１．構成例１
４−１−２．構成例２
４−１−３．構成例３
４−２．動作
４−３．作用および効果
５．画像形成装置
５−１．構成
５−１−１．構成例１
５−１−２．構成例２
５−２．動作
５−３．作用および効果
６．変形例
【００１５】
＜１．トナー収納器（第１実施形態）＞
本発明の第１実施形態のトナー収納器に関して説明する。
【００１６】
＜１−１．全体構成＞
まず、本発明の第１実施形態のトナー収納器であるトナーカートリッジ１００の全体構成に関して説明する。
【００１７】
ここで説明するトナーカートリッジ１００は、例えば、電子写真方式のフルカラープリンタに用いられる。このトナーカートリッジ１００は、主に、紙などの媒体の表面に画像を形成するために用いられるトナーを収納している。
【００１８】
図１は、トナーカートリッジ１００の斜視構成を表している。このトナーカートリッジ１００は、例えば、収納部１１０と、その収納部１１０に設けられた取付部１２０と、その取付部１２０を用いて収納部１１０に取り付けられた本発明の一実施形態の「記憶素子」であるメモリ基板１３０とを備えている。すなわち、メモリ基板１３０は、取付部１２０を用いて収納部１１０に固定されている。
【００１９】
［収納部］
収納部１１０は、主に、トナーを収納している。すなわち、収納部１１０は、トナーを収納するための容器である。この収納部１１０は、例えば、高分子材料および金属材料などのうちのいずれか１種類または２種類以上を含んでいる。収納部１１０に収納されるトナーの種類は、特に限定されないため、１種類だけでもよいし、２種類以上でもよい。トナーの構成に関しては、後述する。
【００２０】
収納部１１０の立体的形状は、特に限定されない。ここでは、収納部１１０の立体的形状は、例えば、一方向（Ｙ軸方向）に延在する略四角柱である。
【００２１】
［取付部］
取付部１２０は、主に、収納部１１０にメモリ基板１３０を取り付けるために用いられる取付機構である。
【００２２】
収納部１１０に取付部１２０が設けられている位置は、特に限定されない。ここでは、取付部１２０は、例えば、長手方向（Ｙ軸方向）における収納部１１０の一端面に設けられている。取付部１２０の構成に関しては、後述する（図２〜図８参照）。
【００２３】
［メモリ基板］
メモリ基板１３０は、主に、後述する画像形成装置（図４４参照）にトナーカートリッジ１００が搭載された際に、その画像形成装置がトナーを用いて画像を形成するために必要な一連の情報を記憶している。
【００２４】
メモリ基板１３０に記憶されている情報の内容は、特に限定されないが、例えば、トナーカートリッジ１００に関する情報およびトナーに関する情報などである。トナーカートリッジ１００に関する情報は、例えば、トナーカートリッジ１００の型番などのうちのいずれか１種類または２種類以上である。トナーに関する情報は、例えば、トナーの色およびトナーの容量などのうちのいずれか１種類または２種類以上である。
【００２５】
メモリ基板１３０の平面形状は、特に限定されない。ここでは、メモリ基板１３０の平面形状は、例えば、矩形などである。この「平面形状」とは、Ｙ軸方向から見たメモリ基板１３０の平面形状である。
【００２６】
＜１−２．取付部の構成＞
次に、取付部１２０の構成に関して説明する。
【００２７】
図２および図３のそれぞれは、トナーカートリッジ１００のうちの主要部の斜視構成を表している。ただし、図２では、メモリ基板１３０などが収納部１１０に取り付けられた状態を示している。これに対して、図３では、メモリ基板１３０などの位置関係を見やすくするために、そのメモリ基板１３０などが収納部１１０から取り外された状態を示している。
【００２８】
図４は、トナーカートリッジ１００の平面構成を表している。ただし、図４では、メモリ基板１３０などが収納部１１０から取り外された状態を示していると共に、そのメモリ基板１３０が配置される領域（メモリ基板１３０の輪郭）を破線で示している。
【００２９】
図５および図６のそれぞれは、トナーカートリッジ１００のうちの主要部の断面構成を拡大して表している。ただし、図５では、挿入ピン１２３の挿入前の状態を示していると共に、図６では、挿入ピン１２３の挿入後の状態を示している。
【００３０】
取付部１２０は、例えば、図２および図３に示したように、本発明の一実施形態の「蓋部材」であるカバー１２１と、本発明の一実施形態の「支持部材」であると共に収納部１１０（容器）の一部である支持体１２２と、本発明の一実施形態の「挿入部材」である挿入ピン１２３とを含んでいる。
【００３１】
［カバー］
カバー１２１は、主に、支持体１２２（収納部１１０の一面）の上に載置されたメモリ基板１３０を被覆する部材である。
【００３２】
カバー１２１の立体的形状は、特に限定されない。ここでは、カバー１２１の立体的形状は、例えば、図２および図３に示したように、メモリ基板１３０の上方および周囲（側方）を囲むために、支持体１２２に対向する側の一面が開放された略直方体などである。すなわち、カバー１２１の立体的形状は、例えば、１つの上面と４つの側面とにより形成された略箱状などである。
【００３３】
ただし、カバー１２１は、例えば、図５および図６に示したように、物理的強度などを向上させるために、１または２以上の梁部を有していてもよい。カバー１２１の立体的形状が略箱状である場合には、上記した１または２以上の梁部は、例えば、１つの上面と４つの側面とにより囲まれた空間の内部に配置されていると共に、その１つの上面および４つの側面のそれぞれに連結されている。
【００３４】
このカバー１２１は、図３に示したように、本発明の一実施形態の「第１突起部」である突起部１２１ＰＡを有している。この突起部１２１ＰＡは、所定の方向、具体的には支持体１２２に近づく方向（第１方向であるＹ軸方向）に延在している。
【００３５】
カバー１２１が突起部１２１ＰＡを有しているのは、後述する支持体１２２の窪み部１２２ＤＡに突起部１２１ＰＡが挿入されることにより、その支持体１２２に対してカバー１２１が位置合わせされやすくなると共に仮止めされやすくなるからである。この「仮止め」とは、挿入ピン１２３の挿入前において、カバー１２１が支持体１２２に対して一時的に固定されているため、そのカバー１２１の位置が大きくずれにくい状態である。
【００３６】
突起部１２１ＰＡの断面形状は、特に限定されない。ここでは、突起部１２１ＰＡの断面形状は、例えば、図２および図３に示したように、矩形などである。この「断面形状」とは、ＸＺ面に沿った突起部１２１ＰＡの断面形状である。
【００３７】
突起部１２１ＰＡには、図３、図５および図６に示したように、本発明の一実施形態の「挿入口」である貫通口１２１Ｈが設けられている。この貫通口１２１Ｈは、突起部１２１ＰＡの延在方向（Ｙ軸方向）と交差する方向（第１方向と交差する第２方向であるＸ軸方向）に延在している。
【００３８】
突起部１２１ＰＡに貫通口１２１Ｈが設けられているのは、後述するように、その貫通口１２１Ｈに挿入ピン１２３が挿入されることにより、支持体１２２に対してカバー１２１が本止めされるからである。この「本止め」とは、挿入ピン１２３の挿入後において、カバー１２１が支持体１２２に対して強固に固定されているため、その支持体１２２からカバー１２１を離脱させることが困難な状態である。
【００３９】
貫通口１２１Ｈの開口形状は、特に限定されない。ここでは、貫通口１２１Ｈの開口形状は、例えば、図３に示したように、円形などである。この「開口形状」とは、Ｘ軸方向から見た貫通口１２１Ｈの形状である。
【００４０】
貫通口１２１Ｈの内径は、特に限定されないため、その貫通口１２１Ｈの延在方向において一定でもよいし、変化していてもよい。ここでは、貫通口１２１Ｈの内径は、例えば、その貫通口１２１Ｈの延在方向において一定である。この内径に関する「一定」とは、内径の設定精度に関して貫通口１２１Ｈの製造上の誤差が含まれることを踏まえた上での一定という意味であり、いわゆる「ほぼ一定」という意味であるため、内径が厳密に一定であることを意味しているわけではない。この「一定」の定義は、以降においても同様である。
【００４１】
なお、カバー１２１は、例えば、図３に示したように、上記した突起部１２１ＰＡと共に、本発明の一実施形態の「第２突起部」である突起部１２１ＰＢを有していてもよい。この突起部１２１ＰＢは、例えば、突起部１２１ＰＡの延在方向に沿った方向に延在しているため、その突起部１２１ＰＡの延在方向と同様の方向（Ｙ軸方向）に延在している。
【００４２】
カバー１２１が突起部１２１ＰＡ，１２１ＰＢを有していると、支持体１２２に対して２点（突起部１２１ＰＡ，１２１ＰＢ）においてカバー１２１が固定される。この場合には、支持体１２２に対して１点（突起部１２１ＰＡ）だけにおいてカバー１２１が固定される場合と比較して、そのカバー１２１が突起部１２１ＰＡを中心（回転軸）として回転しにくくなる。よって、カバー１２１がより位置合わせされやすくなると共に、そのカバー１２１がより強固に仮止めされやすくなる。
【００４３】
突起部１２１ＰＢの数は、特に限定されないため、１個だけでもよいし、２個以上でもよい。ここでは、突起部１２１ＰＢの数は、例えば、１個である。突起部１２１ＰＢが１個だけでも設けられていれば、上記したように、カバー１２１が回転しにくくなるからである。
【００４４】
突起部１２１ＰＢの断面形状は、特に限定されない。ここでは、突起部１２１ＰＢの断面形状は、例えば、図３および図４に示したように、４つの角部が丸みを帯びた矩形などである。この「断面形状」とは、ＸＺ面に沿った突起部１２１ＰＢの断面形状である。
【００４５】
また、カバー１２１は、例えば、図３に示したように、メモリ基板１３０を被覆するために蓋部１２１Ｌを有しており、その蓋部１２１Ｌに突起部１２１ＰＡが連結されていてもよい。蓋部１２１Ｌの立体的形状は、例えば、上記したように、メモリ基板１３０の上方および周囲を囲むために、１つの上面と４つの側面とにより形成された略箱状などである。もちろん、カバー１２１が突起部１２１ＰＢを有している場合には、例えば、その突起部１２１ＰＢも蓋部１２１Ｌに連結されていてもよい。
【００４６】
蓋部１２１Ｌの構成（厚さ）は、特に限定されない。このため、蓋部１２１Ｌの厚さは、一定でもよいし、変化していてもよい。
【００４７】
ここでは、蓋部１２１Ｌの厚さは、例えば、変化している。具体的には、突起部１２１ＰＡに近い側における蓋部１２１Ｌの厚さＴ１は、例えば、その突起部１２１ＰＡから遠い側における蓋部１２１Ｌの厚さＴ２よりも小さくなっている。より具体的には、蓋部１２１Ｌの厚さは、例えば、突起部１２１ＰＡの延在方向（Ｙ軸方向）と交差する方向（Ｚ軸方向）において、その突起部１２１ＰＡに近づくにしたがって次第に小さくなっている。
【００４８】
蓋部１２１Ｌの厚さが突起部１２１ＰＡに近づくにしたがって次第に小さくなっていると、その突起部１２１ＰＡに設けられている貫通口１２１Ｈに挿入ピン１２３が挿入されやすくなる。詳細には、蓋部１２１Ｌの厚さが突起部１２１ＰＡに近づくにしたがって次第に小さくなっていると、突起部１２１ＰＡに近い側と突起部１２１ＰＡから遠い側とにおいて蓋部１２１Ｌの厚さに差異が生じる。この場合には、蓋部１２１Ｌの厚さの差異を利用して、突起部１２１ＰＡから遠い側の部分を支持体１２２の表面に接触させながら、突起部１２１ＰＡに近い側の部分を上下に僅かに移動させることにより、カバー１２１の傾斜角度を簡単に変化させることができる。すなわち、上記したカバー１２１の上下移動を利用して、そのカバー１２１に設けられている貫通口１２１Ｈの位置を上下方向において微調整することができる。これにより、後述する貫通口１２２Ｈに挿入ピン１２３を挿入させたのち、その挿入ピン１２３を貫通口１２１Ｈに挿入させる際に、貫通口１２１Ｈの位置と貫通口１２２Ｈの位置とが互いにずれていることに起因して、その貫通口１２１Ｈに挿入ピン１２３を挿入しにくい場合には、貫通口１２１Ｈの位置を微調整することにより、貫通口１２１Ｈの位置と１２２Ｈの位置とを互いに合致させやすくなる。よって、貫通口１２１Ｈに挿入ピン１２３が挿入されやすくなる。
【００４９】
この蓋部１２１Ｌには、例えば、図３に示したように、突起部１２１ＰＡの延在方向（Ｙ軸方向）においてメモリ基板１３０を部分的に露出させるために、本発明の一実施形態の「第１開口部」である開口部１２１ＦＡが設けられていてもよい。
【００５０】
蓋部１２１Ｌに開口部１２１ＦＡが設けられていると、取付部１２０を用いてメモリ基板１３０が収納部１１０に取り付けられた状態においても、そのメモリ基板１３０に記憶されている情報を開口部１２１ＦＡを通じて読み取ることができる。
【００５１】
開口部１２１ＦＡの数は、メモリ基板１３０に記憶されている情報を開口部１２１ＦＡを通じて読み取ることができれば、特に限定されない。このため、開口部１２１ＦＡの数は、１個だけでもよいし、２個以上でもよい。ここでは、開口部１２１ＦＡの数は、例えば、１個である。
【００５２】
開口部１２１ＦＡの開口形状は、特に限定されない。ここでは、開口部１２１ＦＡの開口形状は、例えば、矩形などである。この「開口形状」とは、Ｙ軸方向から見た開口部１２１ＦＡの形状である。
【００５３】
開口部１２１ＦＡの大きさは、特に限定されないが、カバー１２１の内部に収容されているメモリ基板１３０が意図せずに開口部１２１ＦＡから外部に放出されにくい大きさであることが好ましい。このため、開口部１２１ＦＡの開口面積は、メモリ基板１３０の平面形状の面積よりも小さいことが好ましい。この「開口面積」とは、Ｙ軸方向から見た開口部１２１ＦＡの面積である。
【００５４】
ただし、後述するように、必要に応じて取り付け完了後のメモリ基板１３０を回収できるようにするために、開口部１２１ＦＡの大きさは、その開口部１２１ＦＡを通じてメモリ基板１３０を取り出すことができる大きさであってもよい。
【００５５】
［支持体］
支持体１２２は、主に、メモリ基板１３０を支持する部材であり、上記したように、収納部１１０の一部である。
【００５６】
この支持体１２２は、図３および図４に示したように、本発明の一実施形態の「第１窪み部」である窪み部１２２ＤＡを有している。この窪み部１２２ＤＡは、例えば、収納部１１０が部分的に窪むことにより形成されている。すなわち、窪み部１２２ＤＡは、突起部１２１ＰＡの延在方向と同様の方向（Ｙ軸方向）に延在しており、その窪み部１２２ＤＡには、突起部１２１ＰＡが挿入可能である。取付部１２０を用いてメモリ基板１３０が収納部１１０に取り付けられる場合には、突起部１２１ＰＡが窪み部１２２ＤＡに挿入される。
【００５７】
窪み部１２２ＤＡの開口形状は、その窪み部１２２ＤＡに突起部１２１ＰＡが挿入可能である形状であれば、特に限定されない。このため、窪み部１２２ＤＡの開口形状は、突起部１２１ＰＡの断面形状と同じ形状でもよいし、突起部１２１ＰＡの断面形状と異なる形状でもよい。この「開口形状」とは、Ｙ軸方向から見た窪み部１２２ＤＡの形状である。
【００５８】
ここでは、窪み部１２２ＤＡの開口形状は、例えば、図４に示したように、突起部１２１ＰＡの延在方向（Ｙ軸方向）と交差する方向（Ｘ軸方向）において、貫通口１２１Ｈに挿入ピン１２３が挿入される側から順に、幅広の矩形と幅狭の矩形とが互いに連結された形状などである。
【００５９】
窪み部１２２ＤＡの開口形状が上記した形状であると、後述するように、挿入ピン１２３のうちの主要部分（外径一定部１２３Ｂ）が貫通口１２１Ｈの内部に位置しやすくなるため、その挿入ピン１２３とカバー１２１との接触面積（摩擦力）が大きくなる。よって、貫通口１２１Ｈから挿入ピン１２３が抜けにくくなる。
【００６０】
窪み部１２２ＤＡの位置は、例えば、図４に示したように、メモリ基板１３０が配置される領域と重ならない位置であれば、特に限定されない。
【００６１】
支持体１２２には、図３および図４に示したように、本発明の一実施形態の「貫通口」である貫通口１２２Ｈが設けられている。この貫通口１２２Ｈは、突起部１２１ＰＡの延在方向（Ｙ軸方向）と交差する方向（Ｘ軸方向）に延在していると共に、窪み部１２２ＤＡに連通されている。すなわち、貫通口１２２Ｈは、窪み部１２２ＤＡに連結されているため、その貫通口１２２Ｈと窪み部１２２ＤＡとは、互いにつながっている。
【００６２】
貫通口１２２Ｈの開口形状は、特に限定されない。ここでは、貫通口１２２Ｈの開口形状は、例えば、貫通口１２１Ｈの開口形状と同様の形状である。ここで説明する「開口形状」とは、Ｘ軸方向から見た貫通口１２２Ｈの形状である。
【００６３】
すなわち、窪み部１２２ＤＡは、支持体１２２のうちの一面（ＸＺ面に沿った面）に設けられているのに対して、貫通口１２２Ｈは、支持体１２２のうちの他の面（ＹＺ面に沿った面）に設けられている。
【００６４】
貫通口１２２Ｈの内径は、特に限定されない。このため、貫通口１２２Ｈの内径は、その貫通口１２２Ｈの延在方向において一定でもよいし、変化していてもよい。
【００６５】
ここでは、貫通口１２２Ｈの内径は、例えば、その貫通口１２２Ｈの延在方向において変化している。具体的には、貫通口１２２Ｈは、例えば、図５および図６に示したように、内径減少部１２２ＨＡと、その内径減少部１２２ＨＡに連結された内径一定部１２２ＨＢとを含んでいる。すなわち、貫通口１２２Ｈは、例えば、その貫通口１２２Ｈに挿入ピン１２３が挿入される側から順に、内径減少部１２２ＨＡおよび内径一定部１２２ＨＢを含んでいる。
【００６６】
内径減少部１２２ＨＡは、例えば、貫通口１２１Ｈから遠い側に配置されていると共に、その内径減少部１２２ＨＡの内径は、貫通口１２１Ｈに近づくにしたがって次第に減少している。内径一定部１２２ＨＢは、例えば、貫通口１２１Ｈに近い側に配置されていると共に、その内径一定部１２２ＨＢの内径は、一定である。この「一定」の定義は、上記した通りである。
【００６７】
貫通口１２２Ｈが内径減少部１２２ＨＡおよび内径一定部１２２ＨＢを含んでいると、貫通口１２２Ｈが内径一定部１２２ＨＢだけを含んでいる場合と比較して、その内径一定部１２２ＨＢの内径を小さく設定しても、貫通口１２２Ｈの入口の面積が大きくなる。これにより、貫通口１２２Ｈに挿入ピン１２３が挿入されやすくなり、特に、貫通口１２２Ｈのうちの主要部分（内径一定部１２２ＨＢ）に挿入ピン１２３が挿入されやすくなる。
【００６８】
なお、カバー１２１が突起部１２１ＰＢを有している場合には、支持体１２２は、例えば、図３および図４に示したように、本発明の一実施形態の「第２窪み部」である窪み部１２２ＤＢを有していてもよい。この窪み部１２２ＤＢは、突起部１２１ＰＢの延在方向と同様の方向（Ｙ軸方向）に延在しており、その窪み部１２２ＤＢには、突起部１２１ＰＢが挿入可能である。すなわち、取付部１２０を用いてメモリ基板１３０が収納部１１０に取り付けられる場合には、突起部１２１ＰＢが窪み部１２２ＤＢに挿入される。
【００６９】
窪み部１２２ＤＢの開口形状は、その窪み部１２２ＤＢに突起部１２１ＰＢが挿入可能である形状であれば、特に限定されない。このため、窪み部１２２ＤＢの開口形状は、突起部１２１ＰＢの断面形状と同じ形状でもよいし、突起部１２１ＰＢの断面形状と異なる形状でもよい。この「開口形状」とは、Ｙ軸方向から見た窪み部１２２ＤＢの形状である。ここでは、窪み部１２２ＤＢの開口形状は、例えば、突起部１２１ＰＢの断面形状と同じ形状である。
【００７０】
窪み部１２２ＤＢの位置は、例えば、図４に示したように、メモリ基板１３０が配置される領域と重ならない位置であれば、特に限定されない。
【００７１】
ここでは、窪み部１２２ＤＡ，１２２ＤＢは、例えば、メモリ基板１３０を介して両側に配置されている。このため、メモリ基板１３０は、例えば、窪み１２２ＤＡ，１２２ＤＢの間に配置されている。
【００７２】
メモリ基板１３０が窪み部１２２ＤＡ，１２２ＤＢの間に配置されていると、窪み部１２２ＤＡに挿入される突起部１２１ＰＡと窪み部１２２ＤＢに挿入される突起部１２１ＰＢとによりメモリ基板１３０が挟まれる。よって、メモリ基板１３０がより位置合わせされやすくなると共に、そのメモリ基板１３０がより仮止めされやすくなる。
【００７３】
この場合において、窪み部１２２ＤＡ，１２２ＤＢの位置関係は、特に限定されない。ここでは、例えば、メモリ基板１３０の平面形状が４つの角部を有する矩形である場合において、窪み部１２２ＤＡは、４つの角部のうちの１つの角部の近傍に配置されていると共に、窪み部１２２ＤＢは、上記した１つの角部に対して対角線上に位置する他の１つの角部の近傍に配置されている。メモリ基板１３０がより位置合わせされやすくなると共に、そのメモリ基板１３０がより固定されやすくなるからである。
【００７４】
また、支持体１２２は、例えば、図４に示したように、メモリ基板１３０が配置される領域を規定するために、本発明の一実施形態の「第３突起部」であるリブ１２２Ｒを有していてもよい。このリブ１２２Ｒは、メモリ基板１３０が配置される領域以外の領域に配置されている。
【００７５】
リブ１２２Ｒの数は、特に限定されないため、１個だけでもよいし、２個以上でもよい。また、リブ１２２Ｒの位置は、メモリ基板１３０が配置される領域以外の位置であり、そのメモリ基板１３０が配置される領域を規定できる位置であれば、特に限定されない。
【００７６】
ここでは、例えば、図４に示したように、支持体１２２は、２個のリブ１２２Ｒ（１２２ＲＡ，１２２ＲＢ）を有している。リブ１２２ＲＡ，１２２ＲＢは、例えば、メモリ基板１３０が配置される領域を介して両側に配置されている。具体的には、リブ１２２ＲＡは、例えば、窪み部１２２ＤＡの隣りに配置されていると共に、リブ１２２ＲＢは、例えば、窪み部１２２ＤＢの隣りに配置されている。これにより、メモリ基板１３０は、リブ１２２ＲＡ，１２２ＲＢの間に配置されている。
【００７７】
支持体１２２がリブ１２２ＲＡ，１２２ＲＢを有していると共に、そのリブ１２２ＲＡ，１２２ＲＢの間にメモリ基板１３０が配置されていると、窪み部１２２ＤＡに突起部１２１ＰＡが挿入されると共に窪み部１２２ＤＢに突起部１２１ＰＢが挿入される前においても、リブ１２２ＲＡ，１２２ＲＢによりメモリ基板１３０の位置が規定される。これにより、メモリ基板１３０がより位置合わせされやすくなると共に、位置合わせ後においてメモリ基板１３０の位置がずれにくくなる。
【００７８】
また、支持体１２２は、例えば、図３および図４に示したように、カバー１２１の一部に沿うように設けられた壁部１２２Ｗを有していてもよい。壁部１２２Ｗの数は、特に限定されないため、１個だけでもよいし、２個以上でもよい。また、壁部１２２Ｗの形状は、特に限定されない。
【００７９】
ここでは、例えば、図３および図４に示したように、カバー１２１の平面形状が矩形である場合において、支持体１２２は、２個の壁部１２２Ｗ（１２２ＷＡ，１２２ＷＢ）を有している。
【００８０】
本発明の一実施形態の「第１壁部」である壁部１２２ＷＡは、例えば、窪み部１２２ＤＡに突起部１２１ＰＡが挿入されることによりカバー１２１が仮止めされた際に、そのカバー１２１の外側に配置されている。すなわち、壁部１２２ＷＡは、例えば、カバー１２１の外壁面に沿うように配置されている。ここでは、壁部１２２ＷＡは、例えば、カバー１２１が有する４つの外壁面のうち、互いに隣り合う２つの外壁面に沿うように設けられている。
【００８１】
本発明の一実施形態の「第２壁部」である壁部１２２ＷＢは、例えば、窪み部１２２ＤＡに突起部１２１ＰＡが挿入されることによりカバー１２１が仮止めされた際に、そのカバー１２１の内側に配置されている。すなわち、壁部１２２ＷＢは、例えば、カバー１２１の内壁面に沿うように配置されている。ここでは、壁部１２２ＷＢは、例えば、カバー１２１が有する４つの内壁面のうち、上記した２つの外壁面のうちの一方に対向する１つの内壁面に沿うように設けられている。
【００８２】
支持体１２２が壁部１２２ＷＡ，１２２ＷＢを有しており、壁部１２２ＷＡがカバー１２１の外側に配置されていると共に壁部１２２ＷＢがカバー１２１の内側に配置されていると、壁部１２２ＷＡ，１２２ＷＢによりカバー１２１の位置が規定される。これにより、カバー１２１が位置合わせされやすくなると共に、位置合わせ後においてカバー１２１の位置がずれにくくなる。
【００８３】
なお、カバー１２１が開口部１２１ＦＡを有している場合には、支持体１２２は、例えば、図３および図４に示したように、本発明の一実施形態の「第４突起部」である突起部１２２Ｐを有していてもよい。この突起部１２２Ｐは、例えば、メモリ基板１３０が配置される領域と重なる領域に設けられているため、そのメモリ基板１３０を開口部１２１ＦＡに向けて持ち上げる役割を果たす。ただし、突起部１２２Ｐの数は、特に限定されないため、１個だけでもよいし、２個以上でもよい。図３および図４では、例えば、突起部１２２Ｐの数が１個である場合を示している。
【００８４】
支持体１２２が突起部１２２Ｐを有していると、上記したように、その突起部１２２Ｐによりメモリ基板１３０が開口部１２１ＦＡに向けて持ち上げられるため、そのメモリ基板１３０が開口部１２１ＦＡに近づいた状態で保持される。これにより、メモリ基板１３０に記憶されている情報が開口部１２１ＦＡを通じてより読み取られやすくなる。
【００８５】
突起部１２２Ｐの立体的形状は、メモリ基板１３０を持ち上げることができる形状であれば、特に限定されない。
【００８６】
中でも、突起部１２２Ｐの立体的形状は、取付部１２０を用いてメモリ基板１３０が収納部１１０に取り付けられたのち、必要に応じてメモリ基板１３０を回収できるようにするために、外力の供給に応じて破損しやすい形状であることが好ましい。具体的には、突起部１２２Ｐの立体的形状は、例えば、板状などである。より具体的には、後述する開口部１２１ＦＢ，１２２Ｆを通じた外力の供給に応じて突起部１２２Ｐを破損させやすくするために、その突起部１２２Ｐは、例えば、ＹＺ面に沿って延在する板状などである。
【００８７】
これに伴い、取付部１２０を用いてメモリ基板１３０が収納部１１０に取り付けられた状態においても、外部から突起部１２２Ｐに外力を供給できるようにするために、蓋部１２１Ｌは、例えば、図３に示したように、本発明の一実施形態の「第２開口部」である開口部１２１ＦＢを有していてもよい。
【００８８】
この開口部１２１ＦＢは、例えば、突起部１２１ＰＡの延在方向（Ｙ軸方向）と交差する方向（Ｘ軸方向）において、突起部１２２Ｐと重なる位置に設けられている。開口部１２１ＦＢを通じて突起部１２２Ｐに外力を供給するためである。すなわち、開口部１２１ＦＢは、例えば、蓋部１２１Ｌの側面に設けられている。ただし、開口部１２１ＦＢは、貫通口でもよいし、非貫通口でもよい。図３では、例えば、開口部１２１ＦＢが非貫通口である場合を示している。
【００８９】
開口部１２１ＦＢの開口形状は、特に限定されない。ここでは、開口部１２１ＦＢの開口形状は、例えば、互いに隣り合う２つの角部が丸みを帯びた矩形である。
【００９０】
また、支持体１２２が壁部１２２ＷＡを有している場合には、取付部１２０を用いてメモリ基板１３０が収納部１１０に取り付けられた状態においても、外部から突起部１２２Ｐに外力を供給できるようにするために、その壁部１２２ＷＡは、例えば、図２〜図４に示したように、本発明の一実施形態の「第３開口部」である開口部１２２Ｆを有していてもよい。
【００９１】
この開口部１２２Ｆは、例えば、突起部１２１ＰＡの延在方向（Ｙ軸方向）と交差する方向（Ｘ軸方向）において、突起部１２２Ｐおよび開口部１２１ＦＢのそれぞれと重なる位置に設けられている。開口部１２１ＦＢ，１２２Ｆを通じて突起部１２２Ｐに外力を供給するためである。
【００９２】
開口部１２２Ｆの開口形状は、特に限定されないため、開口部１２１ＦＢの開口形状と同じ形状でもよいし、開口部１２１ＦＢの開口形状と異なる形状でもよい。図２および図３では、例えば、開口部１２２Ｆの開口形状が開口部１２１ＦＢの開口形状と同じである場合を示している。
【００９３】
［挿入ピン］
挿入ピン１２３は、貫通口１２２Ｈ，１２１Ｈにこの順に挿入可能である棒状の部材である。
【００９４】
取付部１２０を用いてメモリ基板１３０が収納部１１０に取り付けられる場合には、窪み部１２２ＤＡに突起部１２１ＰＡが挿入されることにより、カバー１２１と支持体１２２との間にメモリ基板１３０が挟まれた状態において、貫通口１２２Ｈ，１２１Ｈにこの順に挿入ピン１２３が挿入される。すなわち、挿入ピン１２３は、支持体１２２に設けられた貫通口１２２Ｈに挿入されたのち、カバー１２１に設けられた１２１Ｈに挿入される。
【００９５】
この挿入ピン１２３は、例えば、金属材料および高分子材料などのいずれか１種類または２種類以上を含んでいる。
【００９６】
貫通口１２２Ｈが内径減少部１２２ＨＡおよび内径一定部１２２ＨＢを含んでいる場合には、貫通口１２２Ｈ，１２１Ｈにこの順に挿入ピン１２３が挿入されている状態において、その貫通口１２１Ｈから違い側における挿入ピン１２３の端部（後端部）は、例えば、図６に示したように、内径一定部１２２ＨＢの内部に位置していることが好ましい。すなわち、貫通口１２２Ｈに挿入ピン１２３が挿入されている場合には、内径一定部１２２ＨＢの内部に挿入ピン１２３の後端部が位置するまで、その挿入ピン１２３が十分に押し込まれていることが好ましい。
【００９７】
挿入ピン１２３の後端部が内径一定部１２２ＨＢの内部に位置していると、貫通口１２２Ｈから挿入ピン１２３が取り外されにくくなる。
【００９８】
詳細には、挿入ピン１２３の後端部が内径減少部１２２ＨＡの内部に位置する場合には、支持体１２２と挿入ピン１２３との間に大きな隙間が生じるため、その隙間にペンチなどの工具を差し込むことにより、その工具を用いて挿入ピン１２３のうちの後端部の近傍部分を掴みやすくなる。これにより、貫通口１２２Ｈに挿入ピン１２３が挿入されたのち、その貫通口１２２Ｈの内部から挿入ピン１２３が引き抜かれやすくなるため、その挿入ピン１２３は意図せずに取り外される可能性がある。
【００９９】
これに対して、挿入ピン１２３の後端部が内径一定部１２２ＨＢの内部に位置する場合には、支持体１２２と挿入ピン１２３との間にほとんど隙間が生じないため、ペンチなどの工具を用いて挿入ピン１２３のうちの後端部の近傍部分を掴みにくくなる。これにより、貫通口１２２Ｈに挿入ピン１２３が挿入されたのち、その貫通口１２２Ｈの内部から挿入ピン１２３が引き抜かれにくくなる。よって、挿入ピン１２３が意図せずに取り外されることは防止される。
【０１００】
挿入ピン１２３の立体的形状は、貫通口１２１Ｈ，１２２Ｈに対する挿入方向（Ｘ軸方向）に延在する棒状であれば、特に限定されない。ここでは、挿入ピン１２３は、例えば、図３、図５および図６に示したように、一端から順に、外径増加部１２３Ａと、その外径増加部１２３Ａに連結された外径一定部１２３Ｂとを含んでいる。すなわち、挿入ピン１２３は、例えば、貫通口１２１Ｈ，１２２Ｈに挿入ピン１２３が挿入される側から順に、外径増加部１２３Ａおよび外径一定部１２３Ｂを含んでいる。
【０１０１】
外径増加部１２３Ａの外径は、一端から後方に向かって次第に増加している。外径一定部１２３Ｂの外径は、例えば、一定である。この外径に関する「一定」の定義は、上記した内径に関する「一定」の定義と同様である。
【０１０２】
挿入ピン１２３が外径増加部１２３Ａを含んでいると、挿入ピン１２３が外径増加部１２３Ａを含んでいない場合と比較して、その挿入ピン１２３の先端部分が細くなるため、貫通口１２２Ｈ，１２１Ｈにこの順に挿入ピン１２３が挿入されやすくなる。この場合には、貫通口１２２Ｈが内径減少部１２２ＨＡを含んでいると、その貫通口１２２Ｈに挿入ピン１２３がより挿入されやすくなる。
【０１０３】
なお、挿入ピン１２３は、例えば、図３、図５および図６に示したように、外径増加部１２３Ａおよび外径一定部１２３Ｂと共に、その外径一定部１２３Ｂに連結された外径減少部１２３Ｃを含んでいてもよい。この外径減少部１２３Ｃの外径は、外径一定部１２３Ｂから遠ざかるにしたがって次第に小さくなっている。
【０１０４】
挿入ピン１２３が外径減少部１２３Ｃを含んでいると、その挿入ピン１２３では、一端側における先端部分が細くなると共に、他端側における先端部分も細くなる。これにより、貫通口１２２Ｈに挿入ピン１２３の外径増加部１２３Ａが挿入されやすくなると共に、その貫通口１２２Ｈに挿入ピン１２３の外径減少部１２３Ｃも挿入されやすくなる。よって、挿入ピン１２３の向きに依存せずに、貫通口１２２Ｈに挿入ピン１２３が挿入されやすくなる。
【０１０５】
貫通口１２２Ｈ，１２１Ｈにこの順に挿入ピン１２３が挿入されている状態において、その貫通口１２１Ｈに近い側における挿入ピン１２３の端部（前端部）は、例えば、図６に示したように、貫通口１２１Ｈの外部に位置していることが好ましい。すなわち、貫通口１２１Ｈに挿入ピン１２３が挿入されている場合には、その貫通口１２１Ｈの外部に挿入ピン１２３の前端部が位置するまで、その挿入ピン１２３が十分に押し込まれていることが好ましい。
【０１０６】
挿入ピン１２３の前端部が貫通口１２１Ｈの外部に位置していると、その貫通口１２１Ｈから挿入ピン１２３が取り外されにくくなる。
【０１０７】
詳細には、挿入ピン１２３の前端部が貫通口１２１Ｈの内部に位置する場合には、その貫通口１２１Ｈの内部に外径増加部１２３Ａが位置することになる。この場合には、カバー１２１と挿入ピン１２３との間に隙間が生じるため、カバー１２１と挿入ピン１２３との接触面積が小さくなる。これにより、貫通口１２１Ｈから挿入ピン１２３を引き抜こうとする際に生じる摩擦力が小さくなるため、貫通口１２１Ｈに挿入ピン１２３が挿入されたのち、その貫通口１２１Ｈから挿入ピン１２３が取り外されやすくなる可能性がある。
【０１０８】
これに対して、挿入ピン１２３の前端部が貫通口１２１Ｈの外部に位置する場合には、その貫通口１２１Ｈの内部に外径一定部１２３Ｂが位置することになる。この場合には、貫通口１２１Ｈの内部に外径増加部１２３Ａが位置する場合と比較して、カバー１２１と挿入ピン１２３との間に隙間が生じにくくなるため、カバー１２１と挿入ピン１２３との接触面積が大きくなる。これにより、貫通口１２１Ｈから挿入ピン１２３を引き抜こうとする際に生じる摩擦力が大きくなるため、貫通口１２１Ｈに挿入ピン１２３が挿入されたのち、その貫通口１２１Ｈから挿入ピン１２３が取り外されにくくなる。
【０１０９】
中でも、挿入ピン１２３の前端部が貫通口１２１Ｈの外部に位置する場合には、外径増加部１２３Ａが貫通口１２１Ｈの外部に位置していることが好ましい。貫通口１２１Ｈの内部に外径増加部１２３Ａが位置せずに、その貫通口１２１Ｈの内部に外径一定部１２３Ｂが位置するため、カバー１２１と挿入ピン１２３との接触面積（摩擦力）がより大きくなるからである。これにより、貫通口１２１Ｈから挿入ピン１２３がより取り外されにくくなる。
【０１１０】
挿入ピン１２３の構成（外径）と貫通口１２１Ｈ，１２２Ｈの構成（内径）との関係は、その貫通口１２２Ｈに挿入ピン１２３が挿入可能であれば、特に限定されない。
【０１１１】
図７および図８のそれぞれは、貫通口１２１Ｈ，１２２Ｈ（１２２ＨＢ）のそれぞれの内径と挿入ピン１２３の外径との関係を説明するために、貫通口１２１Ｈ，１２２ＨＢのそれぞれの内径の輪郭と挿入ピン１２３の外径の輪郭とを表している。ただし、図７および図８のそれぞれでは、Ｘ軸方向から貫通口１２１Ｈ，１２２ＨＢおよび挿入ピン１２３のそれぞれを見た場合を示している。また、貫通口１２１Ｈ，１２２ＨＢのそれぞれの輪郭を実線で示していると共に、挿入ピン１２３の輪郭を破線で示している。
【０１１２】
挿入ピン１２３は、例えば、外力に応じて収縮（圧縮）変形可能である。すなわち、挿入ピン１２３は、例えば、外力に応じて変形しやすい材料を含んでおり、より具体的には、変形性を有する高分子材料などのうちのいずれか１種類または２種類以上を含んでいる。これに対して、貫通口１２２ＨＢが設けられている支持体１２２は、例えば、挿入ピン１２３よりも変形しにくい材料を含んでおり、より具体的には、剛性を有する金属材料などのうちのいずれか１種類または２種類以上を含んでいる。
【０１１３】
この外力に応じて収縮変形可能である挿入ピン１２３を用いる場合には、例えば、図７に示したように、挿入ピン１２３の外径Ｄ２は、全体的に、貫通口１２２ＨＢの内径Ｄ１よりも大きくてもよい。すなわち、挿入ピン１２３は、例えば、一律な外径Ｄ２を有していてもよい。
【０１１４】
この場合には、貫通口１２２ＨＢに挿入ピン１２３が挿入される過程において、その挿入ピン１２３が全体的に収縮変形しながら、すなわち挿入ピン１２３が全体的に押し潰されながら、貫通口１２２ＨＢに挿入される。これにより、支持体１２２（貫通口１２２ＨＢの内壁面）と挿入ピン１２３とが全体的に互いにより強固に密着するため、その支持体１２２と挿入ピン１２３との間に生じる摩擦力がより大きくなる。よって、挿入ピン１２３が貫通口１２２ＨＢからより取り外されにくくなる。
【０１１５】
ここで説明した挿入ピン１２３の外径Ｄ２と貫通口１２２ＨＢの内径Ｄ１との関係は、例えば、挿入ピン１２３の外径Ｄ２と貫通口１２１Ｈの内径Ｄ１との関係に関しても同様である。すなわち、貫通口１２１Ｈが設けられているカバー１２１は、変形性を有する高分子材料などのうちのいずれか１種類または２種類以上を含んでおり、挿入ピン１２３の外径Ｄ２は、全体的に、貫通口１２１Ｈの内径Ｄ１よりも大きくてもよい。これにより、挿入ピン１２３が貫通口１２１Ｈからより取り外されにくくなる。貫通口１２２ＨＢの内径Ｄ１と貫通口１２１Ｈの内径Ｄ１とは、互いに同じでもよいし、互いに異なっていてもよい。
【０１１６】
ただし、挿入ピン１２３の外径Ｄ２が全体的に貫通口１２１Ｈ，１２２ＨＢのそれぞれの内径Ｄ１よりも大きい場合に限られず、挿入ピン１２３の外径Ｄ２が全体的に貫通口１２１Ｈの内径Ｄ１だけもよりも大きくてもよいし、挿入ピン１２３の外径Ｄ２が全体的に貫通口１２２ＨＢの内径Ｄ１だけもよりも大きくてもよい。挿入ピン１２３の外径Ｄ２が全体的に貫通口１２１Ｈの内径Ｄ１だけもよりも大きい場合、貫通口１２２ＨＢの内径Ｄ１は、例えば、挿入ピン１２３の外径Ｄ２とほぼ同じである。また、挿入ピン１２３の外径Ｄ２が全体的に貫通口１２２ＨＢの内径Ｄ１だけもよりも大きい場合、貫通口１２１Ｈの内径Ｄ１は、例えば、挿入ピン１２３の外径Ｄ２とほぼ同じである。
【０１１７】
または、外力に応じて収縮変形可能である挿入ピン１２３を用いる場合には、例えば、図８に示したように、挿入ピン１２３の外径Ｄ２は、部分的に、貫通口１２２ＨＢの内径Ｄ３，Ｄ４よりも大きくてもよい。すなわち、貫通口１２２ＨＢは、例えば、相対的に大きい外径Ｄ４と、相対的に小さい外径Ｄ３とを有していてもよい。具体的には、貫通口１２２ＨＢの内径は、例えば、１箇所以上の場所（内径がＤ４である場所）において挿入ピン１２３の外径Ｄ２よりも大きくなっていると共に、それ以外の１箇所以上の場所（内径がＤ３である場所）において挿入ピン１２３の外径Ｄ２よりも小さくなっている。ただし、貫通口１２２ＨＢの内径は、例えば、それ以外の１箇所以上の場所において挿入ピン１２３の外径Ｄ２と同じでもよい。
【０１１８】
ここでは、挿入ピン１２３の外径Ｄ２は、例えば、互いに離間された４箇所の場所において貫通口１２２ＨＢの内径Ｄ３よりも大きくなっていると共に、それ以外の４箇所の場所において貫通口１２２ＨＢの内径Ｄ４よりも小さくなっている。
【０１１９】
この場合には、貫通口１２２ＨＢに挿入ピン１２３が挿入される過程において、その挿入ピン１２３が部分的に収縮変形しながら貫通口１２２ＨＢに挿入される。これにより、支持体１２２（貫通口１２２ＨＢの内壁面）と挿入ピン１２３とが部分的に互いにより強固に密着するため、その支持体１２２と挿入ピン１２３との間に生じる摩擦力がより大きくなる。よって、挿入ピン１２３が貫通口１２２ＨＢからより取り外されにくくなる。しかも、挿入ピン１２３の外径Ｄ２が全体的に貫通口１２２ＨＢの内径Ｄ１よりも大きいため、その挿入ピン１２３が全体的に収縮変形しながら貫通口１２２ＨＢに挿入される場合（図７）と比較して、その貫通口１２２ＨＢに挿入ピン１２３が挿入されやすくなる。
【０１２０】
ここで説明した挿入ピン１２３の外径Ｄ２と貫通口１２２ＨＢの内径Ｄ３，Ｄ４との関係は、例えば、挿入ピン１２３の外径Ｄ２と貫通口１２１Ｈの内径Ｄ３，Ｄ４との関係に関しても同様である。すなわち、挿入ピン１２３の外径Ｄ２は、部分的に、貫通口１２１Ｈの内径Ｄ３，Ｄ４よりも大きくてもよい。これにより、挿入ピン１２３が貫通口１２１Ｈからより取り外されにくくなる。
【０１２１】
ただし、挿入ピン１２３の外径Ｄ２が部分的に貫通口１２１Ｈ，１２２ＨＢのそれぞれの内径Ｄ３，Ｄ４よりも大きい場合に限られず、挿入ピン１２３の外径Ｄ２が部分的に貫通口１２１Ｈの内径Ｄ３，Ｄ４だけもよりも大きくてもよいし、挿入ピン１２３の外径Ｄ２が部分的に貫通口１２２ＨＢの内径Ｄ３，Ｄ４だけもよりも大きくてもよい。挿入ピン１２３の外径Ｄ２が部分的に貫通口１２１Ｈの内径Ｄ３，Ｄ４だけもよりも大きい場合、貫通口１２２ＨＢの内径Ｄ３，Ｄ４は、例えば、挿入ピン１２３の外径Ｄ２とほぼ同じである。また、挿入ピン１２３の外径Ｄ２が部分的に貫通口１２２ＨＢの内径Ｄ３，Ｄ４だけもよりも大きい場合、貫通口１２１Ｈの内径Ｄ３，Ｄ４は、例えば、挿入ピン１２３の外径Ｄ２とほぼ同じである。
【０１２２】
＜１−３．トナーの構成＞
次に、トナーの構成に関して説明する。
【０１２３】
トナーカートリッジ１００は、例えば、１種類（１色）のトナーを収納している。トナーカートリッジ１００に収納されているトナーの種類（色）は、例えば、以下の通りである。
【０１２４】
媒体の表面にフルカラーの画像を形成するためには、例えば、４種類（４色）のトナーが用いられる。この４種類のトナーは、例えば、イエロートナー、マゼンタトナー、シアントナーおよびブラックトナーである。
【０１２５】
これに伴い、イエローの画像を形成するために用いられるトナーカートリッジ１００は、イエロートナーを収納している。マゼンタの画像を形成するために用いられるトナーカートリッジ１００は、マゼンタトナーを収納している。シアンの画像を形成するために用いられるトナーカートリッジ１００は、シアントナーを収納している。ブラックの画像を形成するために用いられるトナーカートリッジ１００は、ブラックトナーを収納している。
【０１２６】
イエロートナーは、例えば、イエロー着色剤、結着剤、外添剤、離型剤および帯電制御剤などを含んでいる。イエロー着色剤は、例えば、イエロー顔料およびイエロー染料などのうちのいずれか１種類または２種類以上を含んでいる。イエロー顔料は、例えば、ピグメントイエロー７４などである。イエロー染料は、例えば、Ｃ．Ｉ．ピグメントイエロー７４およびカドミウムイエローなどである。
【０１２７】
マゼンタトナーは、例えば、イエロー着色剤に代えてマゼンタ着色剤を含んでいることを除いて、イエロートナーと同様の構成を有している。マゼンタ着色剤は、例えば、マゼンタ顔料およびマゼンタ染料などのうちのいずれか１種類または２種類以上を含んでいる。マゼンタ顔料は、例えば、キナクリドンなどである。マゼンタ染料は、例えば、Ｃ．Ｉ．ピグメントレッド２３８などである。
【０１２８】
シアントナーは、例えば、イエロー着色剤に代えてシアン着色剤を含んでいることを除いて、イエロートナーと同様の構成を有している。シアン着色剤は、例えば、シアン顔料およびシアン染料などのうちのいずれか１種類または２種類以上を含んでいる。シアン顔料は、例えば、フタロシアニンブルー（Ｃ．Ｉ．Ｐｉｇｍｅｎｔ  Ｂｌｕｅ  １５：３）などである。シアン染料は、例えば、ピグメントブルー１５：３などである。
【０１２９】
ブラックトナーは、例えば、イエロー着色剤に代えてブラック着色剤を含んでいることを除いて、イエロートナーと同様の構成を有している。ブラック着色剤は、例えば、ブラック顔料およびブラック染料などのうちのいずれか１種類または２種類以上を含んでいる。ブラック顔料は、例えば、カーボンなどである。ブラック染料は、例えば、カーボンブラックなどであり、そのカーボンブラックは、例えば、ファーネスブラックおよびチャンネルブラックなどである。
【０１３０】
＜１−４．メモリ基板の取り付け手順＞
次に、図１〜図８を参照しながら、メモリ基板１３０の取り付け手順に関して説明する。
【０１３１】
このメモリ基板１３０は、例えば、以下の手順により、取付部１２０を用いて収納部１１０に取り付けられる。以下の説明では、カバー１２１およびメモリ基板１３０が収納部１１０から取り外されている状態を前提とする。
【０１３２】
取付部１２０を用いてメモリ基板１３０を収納部１１０に取り付ける場合には、最初に、図３および図４に示したように、支持体１２２の上にメモリ基板１３０を載置する。
【０１３３】
この場合には、リブ１２２ＲＡ，１２２ＲＢの間にメモリ基板１３０を載置することにより、窪み部１２２ＤＡ，１２２ＤＢの間にメモリ基板１３０が配置されるようにする。これにより、突起部１２２Ｐにより持ち上げられた状態においてメモリ基板１３０が保持される。
【０１３４】
続いて、図３および図５に示したように、支持体１２２に対してカバー１２１を取り付ける。これにより、メモリ基板１３０がカバー１２１により被覆されるため、そのカバー１２１の内部にメモリ基板１３０が収容される。
【０１３５】
この場合には、窪み部１２２ＤＡに突起部１２１ＰＡを挿入すると共に、窪み部１２２ＤＢに突起部１２１ＰＢを挿入する。また、壁部１２２ＷＡがカバー１２１の外側に配置されると共に、壁部１２２ＷＢがカバー１２１の内側に配置されるようにする。さらに、開口部１２１ＦＢの位置と開口部１２２Ｆの位置とが互いに合致するようにする。これにより、支持体１２２に対してカバー１２１が位置合わせされると共に、そのカバー１２１と支持体１２２との間にメモリ基板１３０が挟まれるため、そのメモリ基板１３０が収納部１１０に仮止めされる。
【０１３６】
最後に、図５〜図８に示したように、貫通口１２２Ｈ，１２１Ｈにこの順に挿入ピン１２３を挿入する。
【０１３７】
この場合には、図６に示したように、貫通口１２２Ｈに挿入ピン１２３を挿入したのち、その挿入ピン１２３をさらに貫通口１２１Ｈに挿入する。また、挿入ピン１２３の挿入完了後において、その挿入ピン１２３の前端部が貫通口１２１Ｈの外部に配置されると共に、その挿入ピン１２３の後端部が内径一定部１２２ＨＢの内部に配置されるようにする。この場合には、特に、外径増加部１２３Ａが貫通口１２１Ｈの外部に配置されるまで、挿入ピン１２３を押し込む。
【０１３８】
なお、貫通口１２１Ｈの位置と貫通口１２２Ｈの位置とが互いにずれている場合には、その貫通口１２２Ｈに挿入された挿入ピン１２３を貫通口１２１Ｈに挿入しにくい場合がある。この場合には、蓋部１２１Ｌの厚さＴ１，Ｔ２の違いを利用して、突起部１２１ＰＡに設けられた貫通口１２１Ｈの位置を上下方向において微調整することにより、その開口部１２１Ｈに挿入ピン１２３を挿入する。
【０１３９】
これにより、図１および図２に示したように、カバー１２１と支持体１２２との間にメモリ基板１３０が挟まれている状態において、貫通口１２２Ｈ，１２１Ｈにこの順に挿入ピン１２３が挿入されるため、そのメモリ基板１３０が収納部１１０に本止めされる。よって、取付部１２０を用いたメモリ基板１３０の取り付けが完了する。
【０１４０】
メモリ基板１３０の取り付けが完了した状態では、そのメモリ基板１３０が収納部１１０に固定されているため、トナーカートリッジ１００の使用時においてメモリ基板１３０が脱落しにくくなる。しかも、貫通口１２１Ｈ，１２２Ｈのそれぞれに挿入ピン１２３が挿入されていることに起因して、ペンチなどの工具を用いて貫通口１２１Ｈ，１２２Ｈのそれぞれから挿入ピン１２３を引き抜くことが困難であるため、その挿入ピン１２３を取り外しにくくなる。
【０１４１】
なお、誤ったメモリ基板１３０が取り付けられたことなどに起因して、必要に応じて、取り付けの完了後においてメモリ基板１３０を回収しなければならない場合がある。この場合には、例えば、図２〜図４に示したように、開口部１２１ＦＢ，１２２Ｆを通じてドライバなどの工具をカバー１２１の内部に挿入することにより、その工具の挿入に起因する外力を利用して、メモリ基板１３０を持ち上げている突起部１２２Ｐを破損させる。この場合には、突起部１２２Ｐを折り曲げてもよいし、その突起部１２２Ｐを支持体１２２から離脱させてもよい。
【０１４２】
これにより、突起部１２２Ｐの破損に起因して、カバー１２１の内部においてメモリ基板１３０の位置が下方にシフトするため、そのメモリ基板１３０と開口部１２１ＦＡとの間に空間的余裕が生じる。よって、ピンセットなどの工具を用いて、カバー１２１の内部に収容されているメモリ基板１３０を開口部１２１ＦＡを通じて回収することができる。
【０１４３】
＜１−５．作用および効果＞
このトナーカートリッジ１００では、取付部１２０において、突起部１２１ＰＡが窪み部１２２ＤＡに挿入されることによりカバー１２１と支持体１２２との間にメモリ基板１３０が挟まれた状態において、貫通口１２２Ｈ，１２１Ｈにこの順に挿入ピン１２３が挿入されている。この場合には、上記したように、カバー１２１の内部にメモリ基板１３０が収容された状態において、そのカバー１２１が支持体１２２に固定されるため、そのメモリ基板１３０が支持体１２２に固定される。よって、取り付けの完了後において、メモリ基板１３０が脱落しにくくなるため、そのメモリ基板１３０の脱落を防止することができる。しかも、取り付けの完了後において、カバー１２１が外れにくくなるため、そのメモリ基板１３０の取り外しを防止することもできる。
【０１４４】
特に、貫通口１２２Ｈが内径減少部１２２ＨＡおよび内径一定部１２２ＨＢを含んでいれば、貫通口１２２Ｈに挿入ピン１２３が挿入されやすくなると共に、その貫通口１２２Ｈのうちの主要部分（内径一定部１２２ＨＢ）に挿入ピン１２３が挿入されやすくなる。よって、メモリ基板１３０を容易に取り付けることができる。
【０１４５】
この場合には、挿入ピン１２３の後端部が内径一定部１２２ＨＢの内部に位置していれば、貫通口１２２Ｈから挿入ピン１２３がより引き抜かれにくくなるため、より高い効果を得ることができる。
【０１４６】
また、挿入ピン１２３が外径増加部１２３Ａを含んでいれば、貫通口１２１Ｈ，１２２Ｈのそれぞれに挿入ピン１２３が挿入されやすくなるため、メモリ基板１３０をより容易に取り付けることができる。
【０１４７】
この場合には、挿入ピン１２３の前端部が貫通口１２１Ｈの外部に位置していれば、カバー１２１と挿入ピン１２３との接触面積（摩擦力）が大きくなる。しかも、挿入ピン１２３の外径増加部１２３Ａが貫通口１２１Ｈの外部に位置していれば、カバー１２１と挿入ピン１２３との接触面積（摩擦力）がより大きくなる。よって、貫通口１２１Ｈから挿入ピン１２３がより引き抜かれにくくなるため、より高い効果を得ることができる。
【０１４８】
また、挿入ピン１２３が外力に応じて収縮変形可能である場合において、その挿入ピン１２３の外径が全体的に貫通口１２１Ｈの内径よりも大きく、または挿入ピン１２３の外径が部分的に貫通口１２１Ｈの内径よりも大きければ、カバー１２１と挿入ピン１２３との密着力（摩擦力）がより大きくなる。よって、貫通口１２１Ｈから挿入ピン１２３がより引き抜かれにくくなるため、より高い効果を得ることができる。この効果は、挿入ピン１２３の外径が全体的に貫通口１２２ＨＢの内径よりも大きく、または挿入ピン１２３の外径が部分的に貫通口１２２ＨＢの内径よりも大きい場合においても、同様に得られる。
【０１４９】
また、カバー１２１が突起部１２１ＰＢを有していると共に、支持体１２２が窪み部１２２ＤＢを有していれば、その突起部１２１ＰＢが窪み部１２２ＤＢに挿入されることにより、カバー１２１が回転しにくくなる。よって、カバー１２１が位置合わせされやすくなると共に、そのカバー１２１が固定されやすくなるため、メモリ基板１３０をより容易に取り付けることができる。
【０１５０】
この場合には、メモリ基板１３０が窪み部１２２ＤＡ，１２２ＤＢの間に配置されていれば、窪み部１２２ＤＡに挿入される突起部１２１ＰＡと窪み部１２２ＤＢに挿入される突起部１２１ＰＢとによりメモリ基板１３０が挟まれる。よって、メモリ基板１３０がより位置合わせされやすくなると共に、そのメモリ基板１３０がより仮止めされやすくなるため、メモリ基板１３０をより容易に取り付けることができる。
【０１５１】
また、支持体１２２がリブ１２２Ｒを有していれば、窪み部１２２ＤＡに突起部１２１ＰＡが挿入されると共に窪み部１２２ＤＢに突起部１２１ＰＢが挿入される前においても、リブ１２２Ｒによりメモリ基板１３０の位置が規定される。よって、メモリ基板１３０が位置合わせされやすくなると共に、位置合わせ後においてメモリ基板１３０の位置がずれにくくなるため、メモリ基板１３０をより容易に取り付けることができる。
【０１５２】
この場合には、支持体１２２が２個のリブ１２２Ｒ（１２２ＲＡ，１２２ＲＢ）を有していると共に、メモリ基板１３０がリブ１２２ＲＡ，１２２ＲＢの間に配置されていれば、メモリ基板１３０がより位置合わせされやすくなると共に、位置合わせ後においてメモリ基板１３０の位置がよりずれにくくなるため、メモリ基板１３０をより容易に取り付けることができる。
【０１５３】
また、カバー１２１が蓋部１２１Ｌを有していると共に、突起部１２１ＰＡに近い側における蓋部１２１Ｌの厚さＴ１が突起部１２１ＰＢから遠い側における蓋部１２１Ｌの厚さＴ２よりも小さくなっていれば、そのカバー１２１に設けられた貫通口１２１Ｈの位置を上下方向において微調整しやすくなる。よって、貫通口１２１Ｈの位置と貫通口１２２Ｈの位置とを互いに合致させることにより、その貫通口１２１Ｈに挿入ピン１２３が挿入されやすくなるため、メモリ基板１３０をより容易に取り付けることができる。
【０１５４】
また、支持体１２２がカバー１２１に沿うように設けられた壁部１２２Ｗを有していれば、その壁部１２２Ｗによりカバー１２１の位置が規定される。よって、カバー１２１がより位置合わせされやすくなると共に、位置合わせ後においてカバー１２１の位置がよりずれにくくなるため、メモリ基板１３０をより容易に取り付けることができる。
【０１５５】
この場合には、支持体１２２が２個の壁部１２２Ｗ（１２２ＷＡ，１２２ＷＢ）を有しており、壁部１２２ＷＡがカバー１２１の外部に配置されていると共に壁部１２２ＷＢがカバー１２１の内部に配置されていれば、カバー１２１がより位置合わせされやすくなると共に、位置合わせ後においてカバー１２１の位置がよりずれにくくなるため、メモリ基板１３０をより容易に取り付けることができる。
【０１５６】
また、カバー１２１が開口部１２１ＦＡを有していれば、取付部１２０を用いてメモリ基板１３０が収納部１１０に取り付けられた状態においても、そのメモリ基板１３０に記憶されている情報を開口部１２１ＦＡを通じて読み取ることができる。
【０１５７】
この場合には、支持体１２２が突起部１２２Ｐを有していれば、その突起部１２２Ｐによりメモリ基板１３０が持ち上げられる。よって、開口部１２１ＦＡを通じて、メモリ基板１３０に記憶されている情報を容易に読み取ることができる。
【０１５８】
しかも、支持体１２２が突起部１２２Ｐを有している場合には、カバー１２１が開口部１２１ＦＢを有していると共に、壁部１２２ＷＡが開口部１２２Ｆを有していれば、メモリ基板１３０の取り付け後において、必要に応じて開口部１２１ＦＢ，１２２Ｆを通じてカバー１２１の内部に外力を供給することにより、その外力を利用して突起部１２２Ｐを破損させることが可能になる。よって、メモリ基板１３０の取り付け後において、必要に応じて開口部１２１ＦＡを通じてメモリ基板１３０を回収することができる。
【０１５９】
＜２．トナー収納器（第２実施形態）＞
本発明の第２実施形態のトナー収納器に関して説明する。
【０１６０】
＜２−１．構成＞
まず、本発明の第２実施形態のトナー収納器であるトナーカートリッジ２００の構成に関して説明する。以下の説明では、随時、上記したトナーカートリッジ１００およびその構成要素を引用する。
【０１６１】
このトナーカートリッジ２００は、トナーカートリッジ１００と同様に、トナーを収納している。トナーカートリッジ２００の用途は、例えば、トナーカートリッジ１００の用途と同様である。トナーに関する詳細は、例えば、上記した通りである。
【０１６２】
図９は、トナーカートリッジ２００の斜視構成を表している。このトナーカートリッジ２００は、例えば、収納部２１０と、その収納部２１０に設けられた取付部２２０と、その取付部２２０を用いて収納部２１０に取り付けられた本発明の一実施形態の「記憶素子」であるメモリ基板２３０とを備えている。
【０１６３】
収納部２１０に関する詳細は、例えば、収納部１１０に関する詳細と同様である。また、メモリ基板２３０に関する詳細は、例えば、メモリ基板１３０に関する詳細と同様である。
【０１６４】
取付部２２０は、取付部１２０と同様の機能を有する取付機構であり、主に、収納部２１０にメモリ基板２３０を取り付けるために用いられる。収納部２１０に取付部２２０が設けられている位置は、特に限定されないが、その取付部２２０は、例えば、長手方向（Ｙ軸方向）における収納部２１０の一端面に設けられている。取付部２２０の構成に関しては、後述する（図１０〜図１５参照）。
【０１６５】
図１０は、トナーカートリッジ２００のうちの主要部の平面構成を表している。図１１は、トナーカートリッジ２００のうちの主要部の斜視構成を表している。図１２は、トナーカートリッジ２００のうちの主要部の断面構成を表している。ただし、図１０および図１２のそれぞれでは、メモリ基板２３０などが収納部２１０に取り付けられた状態を示している。これに対して、図１１では、メモリ基板２３０などの位置関係を見やすくするために、そのメモリ基板２３０などが収納部２１０から取り外された状態を示している。
【０１６６】
図１３は、カバー２２１の平面構成を表している。図１４および図１５のそれぞれは、図１０に示したＡ−Ａ線に沿ったトナーカートリッジ２００の断面構成を拡大して表している。ただし、図１４では、カバー２２１の移動前の状態を示していると共に、図１５では、カバー２２１の移動後の状態を示している。
【０１６７】
取付部２２０は、例えば、図１０〜図１３に示したように、本発明の一実施形態の「蓋部材」であるカバー２２１と、本発明の一実施形態の「支持部材」であると共に収納部２１０（容器）の一部である支持体２２２と、本発明の一実施形態の「挿入部材」である挿入ピン２２３とを含んでいる。
【０１６８】
カバー２２１は、主に、支持体２２２（収納部２１０の一面）の上に載置されたメモリ基板２３０を被覆する部材である。カバー２２１の立体的形状などに関する詳細は、例えば、カバー１２１の立体的形状に関する詳細と同様である。
【０１６９】
このカバー２２１は、図１１に示したように、本発明の一実施形態の「第１突起部」である突起部２２１ＰＡを有している。この突起部２２１ＰＡは、所定の方向、具体的には支持体２２２に近づく方向（第１方向であるＹ軸方向）に延在している。突起部２２１ＰＡの断面形状に関する詳細は、例えば、突起部１２１ＰＡの断面形状に関する詳細と同様である。
【０１７０】
カバー２２１が突起部２２１ＰＡを有しているのは、後述する支持体２２２の窪み部２２２ＤＡに突起部２２１ＰＡが挿入されることにより、その支持体２２２に対してカバー２２１が位置合わせされやすくなると共に仮止めされやすくなるからである。
【０１７１】
突起部２２１ＰＡには、図１１および図１３に示したように、本発明の一実施形態の「挿入口」である貫通口２２１Ｈが設けられている。この貫通口２２１Ｈは、突起部２２１ＰＡの延在方向（Ｙ軸方向）と交差する方向（第１方向と交差する第２方向であるＺ軸方向）に延在している。
【０１７２】
突起部２２１ＰＡに貫通口２２１Ｈが設けられているのは、後述するように、その貫通口２２１Ｈに挿入ピン２２３が挿入されることにより、支持体２２２に対してカバー２２１が本止めされるからである。
【０１７３】
貫通口２２１Ｈの開口形状は、特に限定されないが、例えば、図１１および図１３に示したように、４つの角部が丸みを帯びた矩形などである。この「開口形状」とは、Ｚ軸方向から見た貫通口２２１Ｈの形状である。
【０１７４】
貫通口２２１Ｈの内径は、特に限定されないため、その貫通口１２１Ｈの延在方向において一定でもよいし、変化していてもよい。ここでは、貫通口１２１Ｈの内径は、例えば、その貫通口１２１Ｈの延在方向において一定である。貫通口２２１Ｈの内径の詳細に関しては、後述する。
【０１７５】
なお、カバー２２１は、例えば、図１１および図１２に示したように、上記した突起部２２１ＰＡと共に、本発明の一実施形態の「第２突起部」である突起部２２１ＰＢを有していてもよい。この突起部２２１ＰＢは、例えば、突起部２２１ＰＡの延在方向に沿った方向に延在しているため、その突起部２２１ＰＡの延在方向と同様の方向（Ｙ軸方向）に延在している。
【０１７６】
カバー２２１が突起部２２１ＰＡ，２２１ＰＢを有していると、そのカバー２２１が突起部２２１ＰＡを中心（回転軸）として回転しにくくなる。よって、カバー２２１がより位置合わせされやすくなると共に、そのカバー２２１がより強固に仮止めされやすくなる。
【０１７７】
突起部２２１ＰＢの数は、特に限定されないため、１個だけでもよいし、２個以上でもよい。ここでは、突起部２２１ＰＢの数は、例えば、２個である。この２個の突起部２２１ＰＢは、例えば、突起部２２１ＰＡの延在方向と交差する方向（Ｘ軸方向）において、互いに対向するように配置されている。
【０１７８】
突起部２２１ＰＢの断面形状は、特に限定されない。ここでは、突起部２２１ＰＢの断面形状は、例えば、図１２に示したように、先端近傍の部分が途中で折れ曲がった鉤状などである。この「断面形状」とは、ＸＹ面に沿った突起部２２１ＰＢの断面形状である。
【０１７９】
具体的には、突起部２２１ＰＢは、例えば、その突起部２２１ＰＢの延在方向と同様の方向（Ｙ軸方向）に延在する根本部分と、その根本部分に連結されると共に根本部分の延在方向と交差する方向（Ｘ軸方向）に延在する先端部分とを含んでいる。先端部分の先端形状は、特に限定されないが、例えば、先鋭な形状である。一方の突起部２２１ＰＢのうちの先端部分と、他方の突起部２２１ＰＢのうちの先端部分とは、例えば、互いに近づき合うように延在している。
【０１８０】
また、カバー２２１は、例えば、図１１に示したように、メモリ基板２３０を被覆するために蓋部２２１Ｌを有しており、その蓋部２２１Ｌに突起部２２１ＰＡが連結されていてもよい。蓋部２２１Ｌの立体的形状に関する詳細は、例えば、蓋部１２１Ｌの立体的形状に関する詳細と同様である。もちろん、カバー２２１が突起部２２１ＰＢを有している場合には、例えば、その突起部２２１ＰＢも蓋部２２１Ｌに連結されていてもよい。
【０１８１】
蓋部２２１Ｌの構成（厚さ）に関する詳細は、例えば、蓋部１２１Ｌの構成（厚さ）に関する詳細と同様である。
【０１８２】
この蓋部２２１Ｌには、例えば、図１１および図１２に示したように、突起部２２１ＰＡの延在方向（Ｙ軸方向）においてメモリ基板２３０を部分的に露出させるために、本発明の一実施形態の「第１開口部」である開口部２２１Ｆが設けられていてもよい。開口部２２１Ｆの数、開口形状および大きさに関する詳細は、例えば、開口部１２１ＦＡの数、開口形状および大きさに関する詳細と同様である。
【０１８３】
支持体２２２は、図１１に示したように、本発明の一実施形態の「第１窪み部」である窪み部２２２ＤＡを有している。この窪み部２２２ＤＡは、例えば、窪み部１２２ＤＡとは異なり、収納部２１０が部分的に突出することにより形成されている。すなわち、窪み部２２２ＤＡは、突起部２２１ＰＡの延在方向と同様の方向（Ｙ軸方向）に延在しており、その窪み部２２２ＤＡには、突起部２２１ＰＡが挿入可能である。取付部２２０を用いてメモリ基板２３０が収納部２１０に取り付けられる場合には、突起部２２１ＰＡが窪み部２２２ＤＡに挿入される。
【０１８４】
窪み部２２２ＤＡの開口形状および位置に関する詳細は、例えば、開口部１２２ＤＡの開口形状および位置に関する詳細と同様である。ただし、窪み部２２２ＤＡの開口面積は、特に限定されないため、突起部２２１ＰＡの挿入面積と同じでもよいし、その突起部２２１ＰＡの挿入面積より大きくてもよい。図１１では、例えば、窪み部２２２ＤＡの開口面積が突起部２２１ＰＡの挿入面積よりも十分に大きい場合を示している。
【０１８５】
支持体２２２には、図１１に示したように、本発明の一実施形態の「貫通口」である貫通口２２２Ｈが設けられている。この貫通口２２２Ｈは、突起部２２１ＰＡの延在方向と交差する方向（Ｚ軸方向）に延在していると共に、窪み部２２２ＤＡに連通されている。すなわち、貫通口２２２Ｈは、窪み部２２２ＤＡに連結されているため、その貫通口２２２Ｈと窪み部２２２ＤＡとは、互いにつながっている。貫通口２２２Ｈの開口形状に関する詳細は、例えば、貫通口１２２Ｈの開口形状に関する詳細と同様である。
【０１８６】
貫通口２２２Ｈの内径は、特に限定されないため、その貫通口２２２Ｈの延在方向において一定でもよいし、変化していてもよい。ここでは、貫通口２２２Ｈの内径は、例えば、その貫通口２２２Ｈの延在方向において一定である。
【０１８７】
なお、カバー２２１が突起部２２１ＰＢを有している場合には、支持体２２２は、例えば、図１２に示したように、本発明の一実施形態の「第２窪み部」である窪み部２２２ＤＢを有していてもよい。この窪み部２２２ＤＢは、例えば、窪み部２２２ＤＡの内部における収納部２１０の一面に設けられている。すなわち、窪み部２２２ＤＢは、突起部２２１ＰＢの延在方向と同様の方向（Ｙ軸方向）に延在しており、その窪み部２２２ＤＢには、突起部２２１ＰＢが挿入可能である。もちろん、例えば、カバー２２１が２個の突起部２２１ＰＢを有している場合には、支持体２２２は２個の窪み部２２２ＤＢを有している。窪み部２２２ＤＢの開口形状および位置に関する詳細は、例えば、窪み部１２２ＤＢの開口形状および位置に関する詳細と同様である。
【０１８８】
上記したように、例えば、突起部２２１ＰＢの断面形状が鉤状である場合には、その突起部２２１ＰＢが窪み部２２２ＤＢに挿入されると、図１２に示したように、その突起部２２１ＰＢのうちの先端部分が窪み部２２２ＤＢから抜けにくくなるため、その突起部２２１ＰＢ全体が窪み部２２２ＤＢから外れにくくなる。よって、メモリ基板２３０がより位置合わせされやすくなると共に、そのメモリ基板２３０がより仮止めされやすくなる。
【０１８９】
なお、カバー２２１が開口部２２１Ｆを有している場合には、支持体２２２は、例えば、図１１および図１２に示したように、本発明の一実施形態の「第４突起部」である突起部２２２Ｐを有していてもよい。この突起部２２２Ｐは、例えば、メモリ基板２３０が配置される領域と重なる領域に設けられているため、そのメモリ基板２３０を開口部２２１Ｆに向けて持ち上げる役割を果たす。ただし、突起部２２２Ｐの数は、特に限定されないため、１個だけでもよいし、２個以上でもよい。図１１および図１２では、例えば、突起部２２２Ｐの数が４個である場合を示している。突起部２２２Ｐの立体的形状に関する詳細は、例えば、突起部１２２Ｐの立体的形状に関する詳細と同様である。
【０１９０】
挿入ピン２２３は、貫通口２２２Ｈ，２２１Ｈにこの順に挿入可能である。取付部２２０を用いてメモリ基板２３０が収納部２１０に取り付けられる場合には、窪み部２２２ＤＡに突起部２２１ＰＡが挿入されることにより、カバー２２１と支持体２２２との間にメモリ基板２３０が挟まれた状態において、貫通口２２２Ｈ，２２１Ｈにこの順に挿入ピン２２３が挿入される。すなわち、挿入ピン２２３は、支持体２２２に設けられた貫通口２２２Ｈに挿入されたのち、カバー２２１に設けられた２２１Ｈに挿入される。挿入ピン２２３の形成材料に関する詳細は、例えば、挿入ピン１２３の形成材料に関する詳細と同様である。
【０１９１】
挿入ピン２２３の立体的形状は、貫通口２２１Ｈ，２２２Ｈに対する挿入方向（Ｚ軸方向）に延在する棒状であれば、特に限定されない。ここでは、挿入ピン２２３の立体的形状は、例えば、挿入ピン１２３の立体的形状と同様である。すなわち、挿入ピン２２３は、例えば、図１４および図１５に示したように、貫通口２２１Ｈ，２２２Ｈのそれぞれに挿入ピン２２３が挿入される側から順に、外径増加部１２３Ａ、外径一定部１２３Ｂおよび外径減少部１２３Ｃのそれぞれに対応する外径増加部２２３Ａ、外径一定部２２３Ｂおよび外径減少部２２３Ｃを含んでいる。挿入ピン２２３の端部（前端部および後端部）の位置に関する詳細は、例えば、挿入ピン１２３の端部（前端部および後端部）の位置に関する詳細と同様である。
【０１９２】
ここで、例えば、図１４および図１５に示したように、貫通口２２１Ｈの内径Ｄ５は、貫通口２２２Ｈの内径Ｄ６よりも大きくなっている。これに伴い、貫通口２２１Ｈの内径Ｄ５は、例えば、挿入ピン２２３の外径（最大外径）Ｄ７よりも大きくなっている。
【０１９３】
貫通口２２２Ｈの内径Ｄ６と挿入ピン２２３の外径Ｄ７との関係は、例えば、貫通口１２２Ｈの内径と挿入ピン１２３の外径（最大外径）との関係と同様である。すなわち、例えば、挿入ピン２２３が外力に応じて収縮変形可能であると共に、支持体２２２が剛性を有する場合には、その挿入ピン２２３は、押し潰されながら貫通口２２２Ｈに挿入される。これにより、支持体２２２（貫通口２２２Ｈの内壁面）と挿入ピン２２３とが互いに強固に密着することに起因して、その支持体２２２と挿入ピン２２３との間に生じる摩擦力が大きくなる。よって、挿入ピン２２３が貫通口２２２Ｈから取り外されにくくなる。このように摩擦力の増大に起因して挿入ピン２２３が貫通口２２２Ｈから取り外されにくくなる利点は、支持体２２２が外力に応じて収縮変形可能であると共に挿入ピン２２３が剛性を有する場合においても、同様に得られる。もちろん、挿入ピン２２３の構成（外径）と貫通口２２２Ｈの構成（内径）との関係に、図７および図８に示した挿入ピン１２３の構成（外径）と貫通口１２２Ｈ（１２２ＨＢ）の構成（内径）との関係が適用されてもよい。
【０１９４】
これに対して、貫通口２２１Ｈの内径Ｄ５は貫通口２２２Ｈの内径Ｄ６（挿入ピン２２３の外径Ｄ７）よりも大きいため、挿入ピン２２３が貫通口２２１Ｈに挿入される場合には、上記した挿入ピン２２３が貫通口２２２Ｈに挿入される場合とは異なり、その挿入ピン２２３は、押し潰されずに貫通口２２１Ｈに挿入される。この場合には、貫通口２２１Ｈの内径Ｄ５が貫通口２２２Ｈの内径Ｄ６（挿入ピン２２３の外径Ｄ７）よりも十分に大きいと、支持体２２２（貫通口２２１Ｈの内壁面）と挿入ピン２２３との間に隙間が生じるため、貫通口２２１Ｈに挿入ピン２２３が挿入されている状態においても、カバー２２１は挿入ピン２２３により固定されずに移動可能になる。
【０１９５】
よって、例えば、図１４に示したように、貫通口２２１Ｈ，２２２Ｈに対する挿入ピン２２３の挿入時において、その挿入ピン２２３の挿入動作に応じてカバー２２１が十分に押されたとすると、そのカバー２２１の外壁面と窪み部２２２ＤＡの内壁面との間に隙間（マージン距離Ｍ）が生じる。これにより、例えば、図１５に示したように、貫通口２２１Ｈ，２２２Ｈのそれぞれに挿入ピン２２３が挿入された状態においても、その挿入ピン２２３の挿入方向（Ｚ軸方向）においてカバー２２１を移動（スライド）させることができる。カバー２２１の最大移動距離は、マージン距離Ｍに相当する距離であるため、そのカバー２２１は、マージン距離Ｍの範囲内において移動可能である。なお、図１５では、マージン距離Ｍに相当する距離だけカバー２２１を移動させた状態を示している。
【０１９６】
＜２−２．メモリ基板の取り付け手順＞
次に、図９〜図１５を参照しながら、メモリ基板２３０の取り付け手順に関して説明する。
【０１９７】
取付部２２０を用いてメモリ基板２３０を収納部２１０に取り付ける場合には、最初に、図１１に示したように、支持体２２２の上にメモリ基板２３０を載置する。
【０１９８】
この場合には、窪み部２２２ＤＡの内側にメモリ基板２３０を配置することにより、４個の突起部２２２Ｐによりメモリ基板２３０が持ち上げられた状態となるようにする。
【０１９９】
続いて、図１１〜図１３に示したように、支持体２２２に対してカバー２２１を取り付ける。これにより、メモリ基板２３０がカバー２２１により被覆されるため、そのカバー２２１の内部にメモリ基板２３０が収容される。
【０２００】
この場合には、窪み部２２２ＤＡに突起部２２１ＰＡを挿入すると共に、２個の窪み部２２２ＤＢに２個の突起部２２１ＰＢを挿入する。これにより、支持体２２２に対してカバー２２１が位置合わせされると共に、そのカバー２２１と支持体２２２との間にメモリ基板２３０が挟まれるため、そのメモリ基板２３０が収納部２１０に仮止めされる。
【０２０１】
最後に、図１４に示したように、貫通口２２２Ｈ，２２１Ｈにこの順に挿入ピン２２３を挿入する。この場合には、貫通口２２２Ｈに挿入ピン２２３を挿入したのち、その挿入ピン２２３をさらに貫通口２２１Ｈに挿入する。また、貫通口２２１Ｈに挿入ピン２２３が挿入された状態において、必要に応じて挿入ピン２２３の挿入方向においてカバー２２１を移動させることにより、そのカバー２２１の位置を調整する。
【０２０２】
これにより、図９および図１０に示したように、カバー２２１と支持体２２２との間にメモリ基板２３０が挟まれている状態において、貫通口２２２Ｈ，２２１Ｈにこの順に挿入ピン２２３が挿入されるため、そのメモリ基板２３０が収納部２１０に本止めされる。よって、取付部２２０を用いたメモリ基板２３０の取り付けが完了する。
【０２０３】
＜２−３．作用および効果＞
このトナーカートリッジ２００では、取付部２２０において、突起部２２１ＰＡが窪み部２２２ＤＡに挿入されることによりカバー２２１と支持体２２２との間にメモリ基板２３０が挟まれた状態において、貫通口２２２Ｈ，２２１Ｈにこの順に挿入ピン２２３が挿入されている。この場合には、上記したように、カバー２２１の内部にメモリ基板２３０が収容された状態において、そのカバー２２１が支持体２２２に固定されるため、そのメモリ基板２３０が支持体２２２に固定される。よって、取り付けの完了後において、メモリ基板２３０が脱落しにくくなるため、そのメモリ基板２３０の脱落を防止することができる。
【０２０４】
特に、貫通口２２１Ｈの内径Ｄ５が貫通口２２２Ｈの内径Ｄ６および挿入ピン２２３の外径Ｄ７のそれぞれよりも大きければ、上記したように、貫通口２２１Ｈに挿入ピン２２３が挿入された状態においても、その挿入ピン２２３の挿入方向においてカバー２２１が移動可能になる。よって、必要に応じて、メモリ基板２３０の位置を調整することができる。
【０２０５】
この場合には、特に、メモリ基板２３０の位置が調整可能であることを利用して、例えば、トナーカートリッジ２００が画像形成装置に搭載された際に、そのメモリ基板２３０の破損を防止することができる。
【０２０６】
具体的には、例えば、トナーカートリッジ２００が搭載された画像形成装置では、後述する感光体ドラム４２２（図４１〜図４３参照）に向かってトナーカートリッジ２００が付勢される。この場合には、感光体ドラム４２２が摩耗すると、トナーカートリッジ２００の位置が感光体ドラム４２２に近づく方向にシフトするため、そのトナーカートリッジ２００に搭載されているメモリ基板２３０の位置も同方向にシフトする。これにより、メモリ基板２３０が意図せずに画像形成装置内の部品に接触すると、そのメモリ基板２３０が削られる可能性がある。メモリ基板２３０が接触する部品は、例えば、感光体ドラム４２２を保持するフレーム（いわゆるドラムフレーム）などである。
【０２０７】
しかしながら、メモリ基板２３０の位置が調整可能である場合には、感光体ドラム４２２の摩耗に起因してトナーカートリッジ２００の位置がシフトしても、メモリ基板２３０が画像形成装置内の部品に接触しにくくなるように、カバー２２１の位置を調整可能になる。これにより、画像形成装置内の部品に対してメモリ基板２３０が接触しにくくなるため、そのメモリ基板２３０が削られにくくなる。よって、メモリ基板２３０の破損を防止することができる。
【０２０８】
トナーカートリッジ２００に関する他の作用および効果は、上記したトナーカートリッジ１００に関する作用および効果と同様である。
【０２０９】
＜３．トナー収納器（第３実施形態）＞
本発明の第３実施形態のトナー収納器に関して説明する。
【０２１０】
＜３−１．構成＞
まず、本発明の第３実施形態のトナー収納器であるトナーカートリッジ３００の構成に関して説明する。以下の説明では、随時、上記したトナーカートリッジ１００およびその構成要素を引用する。
【０２１１】
このトナーカートリッジ３００は、トナーカートリッジ１００と同様に、トナーを収納している。トナーカートリッジ３００の用途は、例えば、トナーカートリッジ１００の用途と同様である。トナーに関する詳細は、例えば、上記した通りである。
【０２１２】
図１６および図１７のそれぞれは、トナーカートリッジ３００の斜視構成を表している。ただし、図１７では、図１６に示したトナーカートリッジ３００が分解された状態を示している。
【０２１３】
このトナーカートリッジ３００は、例えば、収納部３１０と、その収納部３１０に設けられた取付部３２０と、その取付部３２０を用いて収納部３１０に取り付けられた本発明の一実施形態の「記憶素子」であるＲＦＩＤ（Radio Frequency IDentification）タグ３３０とを備えている。
【０２１４】
収納部３１０は、例えば、図１６および図１７に示したように、一方向（Ｙ軸方向）に延在しており、アウターフレーム３１１と、サイドフレーム３１２と、開閉操作レバー３１３とを含んでいる。サイドフレーム３１２は、例えば、長手方向（Ｙ軸方向）におけるアウターフレーム３１１の一端に取り付けられていると共に、開閉操作レバー３１３は、例えば、長手方向におけるアウターフレーム３１１の他端に取り付けられている。なお、サイドフレーム３１２には、例えば、使用済みのトナーを回収するための廃トナー受入口３１２Ｈが設けられている。
【０２１５】
アウターフレーム３１１は、例えば、長手方向に延在する筒状の部材であり、互いに分離された２つの空間（トナー収容室３１１Ａおよび廃トナー収容室３１１Ｂ）を有している。トナー収容室３１１Ａは、未使用のトナーを収容していると共に、廃トナー収容室３１１Ｂは、使用済みのトナーを収容している。アウターフレーム３１１には、例えば、トナーを排出するためのトナー排出口３１１Ｈが設けられている。
【０２１６】
サイドフレーム３１２には、例えば、駆動伝達ギヤ３１４が取り付けられており、その駆動伝達ギヤ３１４には、例えば、長手方向に延在する撹拌供給部材３１５が接続されている。この駆動伝達ギヤ３１４は、長手方向に延在する回転軸を中心として回転可能であるため、撹拌供給部材３１５は、駆動伝達ギヤ３１４の回転に応じて回転可能である。この撹拌供給部材３１５は、トナー収容室３１１Ａに収容されているトナーを撹拌すると共に、そのトナーをトナー排出口３１１Ｈから外部に供給する。サイドフレーム３１２は、撹拌供給部材３１５がトナー収容室３１１Ａに挿入された状態において、アウターフレーム３１１に取り付けられている。なお、廃トナー収容室３１１Ｂには、例えば、長手方向に延在すると共にスパイラル状の突起部を有する廃トナー回収スパイラル３１６が挿入されており、その廃トナー回収スパイラル３１６は、上記した撹拌供給部材３１５と同様に、駆動伝達ギヤ３１４の回転に応じて回転可能である。この廃トナー回収スパイラル３１６は、廃トナー収容室３１１Ｂの内部に使用済みのトナーを回収する。
【０２１７】
開閉操作レバー３１３には、例えば、長手方向に延在する円筒部材３１７が接続されており、その円筒部材３１７には、例えば、長手方向に配列された複数の開口部３１７Ｈが設けられている。この開閉操作レバー３１３は、例えば、円筒部材３１７がトナー収容室３１１Ａに挿入された状態において、アウターフレーム３１１に取り付けられている。また、開閉操作レバー３１３は、長手方向に延在する回転軸を中心として回転可能であるため、円筒部材３１７は、開閉操作レバー３１３の回転に応じて回転可能である。開閉操作レバー３１３の回転に応じて、開口部３１７Ｈの位置とトナー排出口３１１Ｈの位置とが互いに合致するように円筒部材３１７が回転することにより、トナー収容室３１１Ａに収容されているトナーがトナー排出口３１１Ｈから外部に供給される。もちろん、開口部３１７Ｈの位置とトナー排出口３１１Ｈの位置とが互いに合致しないように円筒部材３１７が回転することにより、上記したトナーの供給が停止される。
【０２１８】
これ以外の収納部３１０に関する詳細は、例えば、収納部１１０に関する詳細と同様である。
【０２１９】
取付部３２０は、取付部１２０と同様の機能を有する取付機構であり、主に、収納部３１０にＲＦＩＤタグ３３０を取り付けるために用いられる。収納部３１０に取付部３２０が設けられている位置は、特に限定されないが、例えば、長手方向（Ｙ軸方向）における収納部３１０の一側面であり、より具体的には、サイドフレーム３１２の一側面である。取付部３２０の詳細な構成に関しては、後述する（図１８〜図３２参照）。
【０２２０】
ＲＦＩＤタグ３３０は、電波を用いた非接触式の記憶素子である。すなわち、ＲＦＩＤタグ３３０に非接触で情報を記録することができると共に、そのＲＦＩＤタグ３３０に記録されている情報を非接触で読み取ることができる。ＲＦＩＤタグ３３０に記憶されている情報に関する詳細は、例えば、メモリ基板１３０に記憶されている情報に関する詳細と同様である。
【０２２１】
図１８は、図１６に示したトナーカートリッジ３００のうちの主要部（サイドフレーム３１２およびその周辺）の斜視構成を拡大している。図１８では、ＲＦＩＤタグ３３０などの位置関係を見やすくするために、そのＲＦＩＤタグ３３０が収納部３１０から取り外された状態を示している。
【０２２２】
図１９〜図３２のそれぞれは、図１８に示したトナーカートリッジ３００の一部（取付部３２０およびその周辺）の斜視構成および断面構成を表している。
【０２２３】
具体的には、図１９〜図２３、図２５〜図２７、図２９および図３１のそれぞれは、斜視構成を表している。ただし、図２３は図２２に対応する一部断面を含む斜視構成、図２７は図２６に対応する一部断面を含む斜視構成、図２９は図２６に対応する一部断面を含む斜視構成、図３１は図２６に対応する一部断面を含む斜視構成をそれぞれ示している。図２３および図３１のそれぞれではＸＺ面に沿った断面、図２７および図２９のそれぞれではＸＹ面に沿った断面をそれぞれ示している。
【０２２４】
図２４は図２３に対応する断面構成、図２８は図２７に対応する断面構成、図３０は図２９に対応する断面構成、図３２は図３１に対応する断面構成、図３５は図３４に対応する断面構成をそれぞれ示している。図２４および図３２のそれぞれではＸＺ面に沿った断面、図２８および図３０のそれぞれではＸＹ面に沿った断面をそれぞれ示している。
【０２２５】
ＲＦＩＤタグ３３０は、例えば、図１９に示したように、支持基板３３１と、アンテナ部３３２と、メモリ部３３３とを含んでいる。アンテナ部３３２は、非接触でメモリ３３３に対する情報の書き込みおよび情報の読み込みを可能にするためのアンテナ線であり、支持基板３３１の一面（例えば、表面）に設けられている。メモリ部３３３は、トナーカートリッジ３００に関する情報を記録しており、支持基板３３１の他面（例えば、裏面）に設けられている。このメモリ部３３３は、例えば、図２３および図２４に示したように、突起状である。これ以外のＲＦＩＤタグ３３０に関する詳細は、例えば、メモリ基板１３０に関する詳細と同様である。
【０２２６】
取付部３２０は、例えば、図１８〜図２０に示したように、本発明の一実施形態の「蓋部材」であるカバー３２１と、本発明の一実施形態の「支持部材」であると共に収納部３１０（容器）の一部である支持体３２２と、本発明の一実施形態の「挿入部材」である挿入ピン３２３とを含んでいる。
【０２２７】
カバー３２１は、主に、支持体３２２（収納部３１０の一面）の上に載置されたＲＦＩＤタグ３３０を被覆する部材である。カバー３２１の立体的形状は、特に限定されないが、例えば、支持体３２２の表面（ＹＺ面）に沿った方向に延在する略板状である。図１９では、カバー３２１の図示を省略している。
【０２２８】
ただし、図２０および図２１では、カバー３２１が支持体３２２から離間されていると共に、そのカバー２３１が後述する旋回前の状態を示している。このため、図２０および図２１では、カバー３２１がＸＹ面に沿った方向に延在する板状であるように示されている。このカバー３２１は、図２５に示したように、旋回後の状態において、支持体３２１の表面（ＹＺ面）に沿った方向に延在することになる。
【０２２９】
このカバー３２１は、例えば、図２０に示したように、本発明の一実施形態の「第１突起部」である突起部３２１ＰＡを有している。この突起部３２１ＰＡは、所定の方向、具体的には支持体３２２の表面に沿った方向（第１方向であるＺ軸方向）に延在している。突起部３２１ＰＡの立体的形状は、特に限定されないが、例えば、直方体などである。
【０２３０】
カバー３２１が突起部３２１ＰＡを有しているのは、後述する支持体３２２の窪み部３２２ＤＢに突起部３２１ＰＡが挿入されることにより、その支持体３２２に対してカバー３２１が位置合わせされやすくなると共に仮止めされやすくなるからである。
【０２３１】
突起部３２１ＰＡには、本発明の一実施形態の「挿入口」である挿入口３２１Ｈが設けられている。ここで説明する挿入口３２１Ｈは、例えば、非貫通口である。すなわち、挿入口３２１Ｈは、一端側が開放されていると共に他端側が底面３２１Ｎ（図２８および図３５参照））により閉塞されている開口（窪み）である。後述するように、挿入口３２１Ｈに対する挿入ピン３２３の挿入動作を利用して、その挿入ピン３２３により突起部３２１ＰＡが押されるため、その挿入ピン３２３の挿入方向に向かってカバー３２１が移動（スライド）可能になるからである。この挿入口３２１Ｈは、突起部３２１ＰＡの延在方向と交差する方向（第１方向と交差する第２方向であるＹ軸方向）に延在している。
【０２３２】
突起部３２１ＰＡに挿入口３２１Ｈが設けられているのは、後述するように、その挿入口３２１Ｈに挿入ピン３２３が挿入されることにより、支持体３２２に対してカバー３２１が本止めされるからである。
【０２３３】
挿入口３２１Ｈの開口形状は、特に限定されないが、例えば、円形などである。この「開口形状」とは、Ｙ軸方向から見た挿入口３２１Ｈの形状である。
【０２３４】
挿入口３２１Ｈの内径は、特に限定されないため、その挿入口３２１Ｈの延在方向において一定でもよいし、変化していてもよい。ここでは、挿入口３２１Ｈの内径は、例えば、その挿入口３２１Ｈの延在方向において一定である。
【０２３５】
なお、カバー３２１は、例えば、上記した突起部３２１ＰＡと共に、本発明の一実施形態の「延設部」である突起部３２１ＰＢを有していてもよい。この突起部３２１ＰＢは、例えば、突起部３２１ＰＡの延在方向と反対の方向に延在している。
【０２３６】
カバー３２１が突起部３２１ＰＡ，３２１ＰＢを有していると、そのカバー３２１が回転しにくくなる。よって、カバー３２１がより位置合わせされやすくなると共に、そのカバー３２１がより強固に仮止めされやすくなる。
【０２３７】
また、カバー３２１は、例えば、ＲＦＩＤタグ３３０を被覆するために蓋部３２１Ｌを有しており、その蓋部３２１Ｌに突起部３２１ＰＡが連結されていてもよい。蓋部３２１Ｌの立体的形状は、例えば、ＲＦＩＤタグ３３０を被覆するために略板状である。もちろん、カバー３２１が突起部３２１ＰＢを有している場合には、例えば、その突起部３２１ＰＢも蓋部３２１Ｌに連結されていてもよい。
【０２３８】
突起部３２１ＰＡは、例えば、蓋部３２１Ｌの一端に連結されているのに対して、突起部３２１ＰＢは、例えば、蓋部３２１Ｌの他端に連結されている。取付部３２０にＲＦＩＤタグ３３０が取り付けられた状態において、蓋部３２１Ｌは、例えば、ＲＦＩＤタグ３００と対向するように配置される。このため、ＲＦＩＤタブ３３０は、例えば、突起部３２１ＰＡ，３２１ＰＢの間に配置されている。
【０２３９】
蓋部３２１Ｌの幅方向（Ｙ軸方向）における突起部３２１ＰＡの位置は、特に限定されないが、例えば、その蓋部３２１Ｌの幅方向における中央である。蓋部３２１Ｌの幅方向における突起部３２１ＰＢの位置は、特に限定されないが、例えば、その蓋部３２１Ｌの幅方向における一端である。
【０２４０】
蓋部３２１Ｌの構成（厚さ）は、特に限定されないが、例えば、その蓋部３２１Ｌの幅方向における一端部の厚さＴ３は、それ以外の部分の厚さＴ４よりも大きくなっている。突起部３２１ＰＡは、例えば、蓋部３２１Ｌのうちの厚さＴ４を有する部分に連結されていると共に、突起部３２１ＰＢは、例えば、蓋部３２１Ｌのうちの厚さＴ３を有する部分に連結されている。ただし、突起部３２１ＰＡの厚さＴ５は、例えば、厚さＴ４よりも大きくなっていると共に、突起部３２１ＰＢの厚さＴ６は、例えば、厚さＴ４よりも大きくなっている。また、突起部３２１ＰＢの厚さＴ６は、例えば、厚さＴ３に等しくなっている。
【０２４１】
すなわち、蓋部３２１Ｌの立体的形状は、例えば、ＲＦＩＤタグ３３０の上方および一側方を被覆することが可能な形状であり、より具体的には、１つの上面と１つの側面とにより形成された略板状などである。
【０２４２】
なお、蓋部３２１Ｌの一端部、より具体的には突起部３２１ＰＢが設けられている側における蓋部３２１Ｌの一端部には、例えば、図２３および図２４に示したように、傾斜面３２１Ｍが設けられている。この傾斜面３２１Ｍは、例えば、収納部３１０に対するＲＦＩＤタグ３３０の取り付け完了後において、必要に応じて収納部３１０からＲＦＩＤタグ３３０を取り外すために用いられる。傾斜面３２１Ｍを用いたＲＦＩＤタグ３３０の取り外し手順に関しては、後述する（図３３〜図４０参照）。
【０２４３】
突起部３２１ＰＢには、例えば、その突起部３２１ＰＢの延在方向と交差する方向、すなわち幅方向（Ｙ軸方向）に延在する旋回軸３２１Ｓが設けられており、その旋回軸３２１は、後述する支持体３２２の旋回軸受け３２２Ｕに挿入可能である。旋回軸３２１Ｓの立体的形状は、特に限定されないが、例えば、円筒状などである。旋回軸３２１Ｓが旋回軸受け３２２Ｕに挿入された状態において、カバー３２１は、蓋部２２１ＬがＲＦＩＤタグ３３０を被覆すると共に突起部３２１ＰＡが窪み部３２２ＤＢに挿入されるように、その旋回軸３２１Ｓを中心として旋回可能である。
【０２４４】
なお、幅方向における蓋部３２１Ｌの一端には、本発明の一実施形態の「第５突起部」である突起部３２１ＰＣが設けられており、その突起部３２１ＰＣは、幅方向に延在している。突起部３２１ＰＣの数は、特に限定されないため、１個だけでもよいし、２個以上でもよい。ここでは、突起部３２１ＰＣの数は、例えば、３個である。この突起部３２１ＰＣは、例えば、後述するカバー３２１の移動（スライド）動作を利用して、取付部３２０に対してカバー３２１をより強固に固定するために用いられる。突起部３２１ＰＣを用いたカバー３２１の固定原理に関しては、後述する。
【０２４５】
突起部３２１ＰＡの幅（Ｙ軸方向の寸法）Ｗ１は、特に限定されないが、十分に大きいことが好ましい。後述するように、挿入口３２１Ｈに挿入ピン３２３が挿入された際に、その挿入口３２１Ｈの内壁面に対する挿入ピン３２３の接触面積が十分に大きくなるため、支持体３２２に対してカバー３２１が強固に固定されるからである。
【０２４６】
ただし、後述するように、必要に応じて蓋部３２１Ｌから突起部３２１ＰＡを分離可能とするために、例えば、図２３および図２４に示したように、蓋部３２１Ｌと突起部３２１ＰＡとが互いに連結された位置において、カバー３２１に切り込み３２１Ｔが設けられていてもよい。この切り込み３２１Ｔは、例えば、カバー３２１の表面に設けられていてもよいし、カバー３２１の裏面に設けられていてもよいし、双方に設けられていてもよい。図２３および図２４では、カバー３２１の裏面に切り込み３２１Ｔが設けられている場合を示している。
【０２４７】
突起部３２１ＰＢの幅Ｗ２は、特に限定されないが、十分に小さいことが好ましい。突起部３２１ＰＢの物理的強度が適度に低下するため、後述するように、支持体３２２に対してカバー３２１が固定されたのち、必要に応じて支持体３２２からカバー３２１を取り外す際に、蓋部３２１Ｌから突起部３２１ＰＢが分離しやすくなるからである（図３６および図３７参照）。
【０２４８】
支持体３２２は、図１９および図２０に示したように、収容部３２２ＤＡと、本発明の一実施形態の「第１窪み部」である窪み部３２２ＤＢと、開放部３２２ＤＣと有している。具体的には、支持体３２２は、５個のリブ３２２Ｒ１〜３２２Ｒ５を有しており、その５個のリブ３２２Ｒ１〜３２２Ｒ５により収容部３２２ＤＡ、窪み部３２２ＤＢおよび開放部３２２ＤＣが形成されている。収容部３２２ＤＡおよび窪み部３２２ＤＢは、互いに連結されていると共に、収容部３２２ＤＡおよび開放部３２２Ｃは、互いに連結されている。
【０２４９】
リブ３２２Ｒ１，３２２Ｒ２は、幅方向と交差する方向（Ｚ軸方向）において互いに離間されると共に互いに対向するように配置されている。リブ３２２Ｒ３，３２２Ｒ４は、リブ３２２Ｒ１，３２２Ｒ２の間において、幅方向と交差する方向（Ｚ軸方向）において互いに離間されると共に互いに対向するように配置されている。リブ３２２Ｒ５は、幅方向においてリブ３２２Ｒ１〜３２２Ｒ４のそれぞれに隣接するように配置されている。ただし、リブ３２２Ｒ１，３２２Ｒ２のそれぞれの厚さ（Ｘ軸方向の寸法）は、例えば、リブ３２２Ｒ５の厚さよりも小さくなっていると共に、リブ３２２Ｒ３，３２２Ｒ４のそれぞれの厚さは、例えば、リブ３２２Ｒ１，３２２Ｒ２のそれぞれの厚さよりも小さくなっている。
【０２５０】
収容部３２２ＤＡは、ＲＦＩＤタグ３３０が収容される空間であり、より具体的には、例えば、リブ３２２Ｒ１〜３２２Ｒ５により囲まれた空間である。上記したリブ３２２Ｒ１〜３２２Ｒ５のそれぞれの厚さの違いを利用して、収容部３２２ＤＡの範囲は、例えば、リブ３２２Ｒ１，３２２Ｒ２，３２２Ｒ５により規定されている。ＲＦＩＤタグ３３０は、例えば、リブ３２２Ｒ３，３２２Ｒ４のそれぞれの上に載置される。
【０２５１】
窪み部３２２ＤＢは、例えば、リブ３２２Ｒ１に設けられている。すなわち、窪み部３２２ＤＢは、例えば、リブ３２２Ｒ１が部分的に窪むことにより形成されている。この窪み部３２２ＤＢは、突起部３２１ＰＡの延在方向と同様の方向に延在しており、その窪み部３２２ＤＢには、突起部３２１ＰＡが挿入可能である。取付部３２０を用いてＲＦＩＤタグ３３０が収納部３１０に取り付けられる場合には、突起部３２１ＰＡが窪み部３２２ＤＢに挿入される。窪み部３２２ＤＢの開口形状は、特に限定されないが、例えば、矩形などである。
【０２５２】
開放部３２２ＤＣは、リブ３２２Ｒ２が延設されていないことに起因して開放されている空間である。この開放部３２２ＤＣには、旋回軸受け３２２Ｕに旋回軸３２２Ｓが挿入される際に、突起部３２１ＰＢが配置される。
【０２５３】
取付部３２０を用いてＲＦＩＤタグ３３０が収納部３１０に取り付けられる場合には、収容部３３３ＤＡにＲＦＩＤタグ３３０が収容された状態において、そのＲＦＩＤタグ３３０がカバー３２１により被覆される。この場合には、カバー３２１のうちの蓋部３２１Ｌが収容部３２２ＤＡに収容されることに応じて、突起部３２１ＰＡが窪み部３２２ＤＢに挿入されると共に、突起部３２１ＰＢが開放部３２２ＤＣに配置される。
【０２５４】
リブ３２２Ｒ１には、本発明の一実施形態の「貫通口」である貫通口３２２Ｈが設けられている。この貫通口３２２Ｈは、突起部３２１ＰＡの延在方向と交差する方向（Ｙ軸方向）に延在していると共に、窪み部３２２ＤＢに連通されている。すなわち、貫通口３２２Ｈは、窪み部３２２ＤＢに連結されているため、その貫通口３２２Ｈと窪み部３２２ＤＢとは、互いにつながっている。貫通口３２２Ｈの開口形状は、特に限定されないが、例えば、円形である。
【０２５５】
貫通口３２２Ｈの内径は、特に限定されないため、その貫通口３２２Ｈの延在方向において一定でもよいし、変化していてもよい。ここでは、貫通口３２２Ｈの内径は、例えば、その貫通口３２２Ｈの延在方向において一定である。
【０２５６】
リブ３２２Ｒ２には、例えば、旋回軸３２１Ｓの延在方向と同様の方向（Ｙ軸方向）に延在する旋回軸受け３２２Ｕが設けられており、その旋回軸受け３２２Ｕには、旋回軸３２２Ｓが挿入可能である。旋回軸受け３２２Ｕの開口形状は、例えば、旋回軸３２１Ｓが挿入可能な形状であれば、特に限定されない。
【０２５７】
中でも、旋回軸受け３２２Ｕの開口形状は、旋回軸３２１Ｓの挿入方向と交差する方向（Ｚ軸方向）に長い形状であることが好ましい。具体的には、旋回軸受け３２２Ｕの開口形状は、例えば、４個の角部が丸みを帯びた略長方形などである。旋回軸受け３２２Ｕに旋回軸３２２Ｓが挿入された状態において、その旋回軸受け３２２Ｕの内部において旋回軸３２２Ｓが移動可能になるため、支持体３２２に対してカバー３２１を取り付ける際に、そのカバー３２１の位置を調整可能になるからである。
【０２５８】
リブ３２２Ｒ５には、例えば、本発明の一実施形態の「第４開口部」である開口部３２２Ｆが設けられており、その開口部３２２Ｆには、突起部３２１ＰＣが挿入可能である。開口部３２２Ｆの数は、特に限定されないため、１個だけでもよいし、２個以上でもよい。ここでは、開口部３２２Ｆの数は、例えば、上記した突起部３２１ＰＣの数（３個）に応じて、３個である。３個の開口部３２２Ｆは、例えば、２個の仕切りリブ３２２Ｖにより分離されている。
【０２５９】
なお、収容部３２２ＤＡの幅Ｗ５は、特に限定されないが、中でも、カバー３２１（蓋部３２１Ｌ）の幅Ｗ４よりも大きいことが好ましい。また、窪み部３２２ＤＢの幅Ｗ３は、特に限定されないが、中でも、突起部３２１ＰＡの幅Ｗ１よりも大きいことが好ましい。後述するように、支持体３２２に対してカバー３２１が仮止めまたは本止めされた状態において、そのカバー３２１が幅方向に移動（スライド）可能になるからである。
【０２６０】
特に、窪み部３２２ＤＢの幅Ｗ３と突起部３２１ＰＡの幅Ｗ１との差は、収容部３２２ＤＡの幅Ｗ５とカバー３２１の幅Ｗ４との差以上であることが好ましい。すなわち、（Ｗ３−Ｗ１）≧（Ｗ５−Ｗ４）という関係が成立していることが好ましい。カバー３２１のうちの主要部、すなわちＲＦＩＤタグ３３０を被覆する蓋部３２１Ｌが広範囲においてスライド可能になるからである。これにより、後述するように、旋回軸３２２Ｓを中心としてカバー２３１を旋回させる際に、３個の突起部３２１ＰＣが蓋部３２１Ｌと一緒に収容部３２２ＤＡに収容されやすくなる。
【０２６１】
挿入ピン３２３は、貫通口３２２Ｈおよび挿入口３２１Ｈにこの順に挿入可能である。取付部３２０を用いてＲＦＩＤタグ３３０が収納部３１０に取り付けられる場合には、窪み部３２２ＤＢに突起部３２１ＰＡが挿入されることにより、カバー３２１と支持体３２２との間にＲＦＩＤタグ３３０が挟まれた状態において、貫通口３２２Ｈおよび挿入口３２１Ｈにこの順に挿入ピン３２３が挿入される。挿入ピン３２３の形成材料および立体的形状に関する詳細は、例えば、挿入ピン１２３の形成材料および立体的形状に関する詳細と同様である。図１８では、挿入ピン３２３が収納部３１０から離間された状態を示していると共に、図１９および図２０では、挿入ピン３２３の図示を省略している。
【０２６２】
挿入ピン３２３の長さ（Ｙ軸方向の寸法）Ｌ１は、特に限定されない。中でも、挿入ピン３２３の長さＬ１は、図２８に示したように、挿入口３２１Ｈの長さＬ２と貫通口３２２Ｈの長さＬ３との和（＝Ｌ２＋Ｌ３）以下であることが好ましい。この場合には、特に、長さＬ１は、長さＬ２と長さＬ３との和よりも小さいことがより好ましい。貫通口３２２Ｈの内部に挿入ピン３２３が十分に押し込まれることにより、その挿入ピン３２３の後端部が貫通口３２Ｈから外部に出にくくなるため、その貫通口３２２Ｈから挿入ピン３２３が引き抜かれにくくなるからである。
【０２６３】
なお、挿入ピン３２３の形成材料は、特に限定されないが、中でも、ＲＦＩＤタグ３３０を用いた無線通信が阻害される可能性を低下させるために、その挿入ピン３２３は、金属材料ではなく高分子材料を含んでいることが好ましい。
【０２６４】
＜３−２．ＲＦＩＤタグの取り付け手順＞
次に、図１８〜図３２を参照しながら、ＲＦＩＤタグ３３０の取り付け手順に関して説明する。
【０２６５】
以下では、例えば、取付部３２０を用いてＲＦＩＤタグ３３０を収納部３１０に取り付ける前の状態において、図１８に示したように、ＲＦＩＤタグ３３０、カバー３２１および挿入ピン３２３が収納部３１０から取り外されていることとする。
【０２６６】
取付部３２０を用いてＲＦＩＤタグ３３０を収納部３１０に取り付ける場合には、最初に、図１９および図２０に示したように、リブ３２２Ｒ３，３２２Ｒ４の上にＲＦＩＤタグ３３０を載置することにより、収容部３２２ＤＡにＲＦＩＤタグ３３０を収容する。この場合には、ＲＦＩＤタグ３３０の一端が２個の仕切りリブ３２２Ｖに当接されると共に、そのＲＦＩＤタグ３３０のうちの突起状のメモリ部３３３がリブ３２２Ｒ３，３２２Ｒ４の間の空間に配置されるようにする。
【０２６７】
続いて、図２０および図２１に示したように、リブ３２２Ｒ２にカバー３２１を取り付ける。この場合には、開放部３２２ＤＣに突起部３２１ＰＢを配置させることにより、旋回軸受け３２２Ｕに旋回軸３２１Ｓを挿入させる。これにより、支持体３２２に対してカバー３２１が位置合わせされる。
【０２６８】
続いて、図２２〜図２５に示したように、旋回軸３２１Ｓを中心としてカバー３２１を旋回させることにより、そのカバー３２１を用いてＲＦＩＤタグ３３０を被覆する。これにより、収容部３２２ＤＡに蓋部３２１Ｌが収容されると共に、窪み部３２２ＤＢに突起部３２１ＰＡが挿入される。よって、カバー３２１と支持体３２２との間にＲＦＩＤタグ３３０が挟まれるため、そのＲＦＩＤタグ３３０が収納部３１０に仮止めされる。
【０２６９】
なお、例えば、上記したように、収容部３２２ＤＡの幅Ｗ５はカバー３２１（蓋部３２１Ｌ）の幅Ｗ４よりも大きいと共に、窪み部３２２ＤＢの幅Ｗ３は突起部３２１ＰＡの幅Ｗ１よりも大きい。これにより、カバー３２１を旋回させる際には、幅方向、言い換えれば後述する挿入ピン３２３の挿入方向（Ｙ軸方向）においてカバー３２１がスライド可能であるため、そのカバー３２１の位置を幅方向において調整可能である。この場合には、カバー３２１の位置を手前側に調整することにより、蓋部３２１Ｌに設けられている３個の突起部３２１ＰＣが収容部３２２ＤＡに収容されるようにする。
【０２７０】
続いて、図２６〜図３０に示したように、貫通口３２２Ｈおよび挿入口３２１Ｈにこの順に挿入ピン３００を挿入する。すなわち、貫通口３２２Ｈに挿入ピン３２３を挿入したのち、その挿入ピン３２３をさらに挿入口３２１Ｈに挿入する。
【０２７１】
この場合には、挿入口３２１Ｈの内部に挿入ピン３２３を十分に押し込む。具体的には、挿入ピン３００の前端が底面３２１Ｎに当接されると共に、その挿入ピン３００の後端が開口部３２２Ｈから外部に出ないようにする。この場合には、挿入ピン３２３の押し込み動作を利用して、その挿入ピン３２３を用いて突起部３２１ＰＡを押すことにより、その挿入ピン３２３の挿入方向に向かってカバー３２１をスライドさせる。
【０２７２】
これにより、図３１および図３２に示したように、カバー３２１と支持体３２２との間にＲＦＩＤタグ３３０が挟まれている状態において、貫通口３２２Ｈおよび挿入口３２１Ｈにこの順に挿入ピン３２３が挿入されると共に、３個の突起部３２１ＰＣのそれぞれが３個の開口部３２２Ｆのそれぞれに挿入されるため、そのＲＦＩＤタグ３３０が収納部３１０に本止めされる。よって、取付部３２０を用いたＲＦＩＤタグ３３０の取り付けが完了する。
【０２７３】
＜３−３．ＲＦＩＤタグの取り外し手順＞
なお、ＲＦＩＤタグ３３０の取り付けが完了した状態では、そのＲＦＩＤタグ３３０が収納部３１０に固定されているため、トナーカートリッジ３００の使用時においてＲＦＩＤタグ３３０が脱落しにくくなる。しかも、挿入口３２１Ｈおよび貫通口３２２Ｈのそれぞれに挿入ピン３２３が挿入されていることに起因して、ペンチなどの工具を用いて貫通口３２２Ｈから挿入ピン３２３を引き抜くことが困難であるため、その挿入ピン３２３を取り外しにくくなる。
【０２７４】
しかしながら、例えば、誤ったＲＦＩＤタグ３３０が取り付けられ場合などには、必要に応じて、以下で説明する手順により、取り付けの完了後においてＲＦＩＤタグ３３０を回収することができる。
【０２７５】
図３３〜図４０のそれぞれは、ＲＦＩＤタグ３３０の取り外し手順を説明するために、図１９〜図３２に対応する斜視構成および断面構成を表している。
【０２７６】
具体的には、図３３、図３４、図３６〜図３８および図４０のそれぞれは、斜視構成を表している。ただし、図３４は図３３に対応する一部断面を含む斜視構成、図３８は図３７に対応する一部断面を含む斜視構成をそれぞれ示している。図３４ではＸＹ面に沿った断面、図３８ではＸＺ面に沿った断面をそれぞれ示している。
【０２７７】
図３５は図３４に対応する断面構成、図３９は図３８に対応する断面構成をそれぞれ示している。図３５ではＸＹ面に沿った断面、図３９ではＸＺ面に沿った断面をそれぞれ示している。
【０２７８】
ＲＦＩＤタグ３３０を収納部３１０から取り外す場合には、最初に、図３３〜図３５に示したように、挿入口３２１Ｈおよび貫通口３２２Ｈのそれぞれに挿入ピン３２３が挿入されている状態において、そのカバー３２１を手前にスライドさせる。これにより、３個の突起部３２１ＰＣが３個の開口部３２２Ｆから引き抜かれる。
【０２７９】
続いて、図３６に示したように、カバー３２１とリブ３２２Ｒ２との間の隙間に工具６００を差し込んだのち、てこの原理を利用して、工具６００のうちの一端部を押し下げると共に他端部を押し上げる。この場合には、カバー３２１の一端部に傾斜面３２１Ｍが設けられているため、工具６００を用いる場合には、その工具６００の先端部分を傾斜面３２１Ｍに当接させる。
【０２８０】
工具６００の種類は、特に限定されないが、例えば、カバー３２１とリブ３２２Ｒ２との間の隙間に挿入可能なドライバおよびニッパなどである。中でも、板状の先端部分を有するマイナスドライバなどが好ましい。カバー３２１とリブ３２２Ｒ５との間の隙間に工具６００の先端部分が入り込みやすくなると共に、板状の先端部分が傾斜面３２１Ｍに当接しやすくなるからである。図３６では、工具３００の図示内容を簡略化しているため、その工具３００を板状に示している。
【０２８１】
これにより、図３７〜図３９に示したように、旋回軸３２１Ｓが旋回軸受け３２１Ｕに挿入されている状態において、工具６００の他端部によりカバー３２１（蓋部３２１Ｌ）がＲＦＩＤタグ３３０から遠ざかるように持ち上げられる。この場合には、蓋部３２１Ｌを持ち上げる力に応じてカバー３２１が意図的に破損させられるため、突起部３２１ＰＢが蓋部３２１Ｌから分離される。しかも、切り込み３２１Ｔが設けられている位置においてカバー３２１が屈曲するため、突起部３２１ＰＡが窪み部３２２ＤＢに挿入されている状態において、ＲＦＩＤタグ３３０を被覆していた蓋部３２１Ｌだけが持ち上げられる。これにより、ＲＦＩＤタグ３３０が露出する。なお、カバー３２１を屈曲させたのち、突起部３２１ＰＡから蓋部３２１Ｌを分離させることにより、その蓋部３２１Ｌを除去してもよい。
【０２８２】
最後に、図４０に示したように、収容部３２２ＤＡからＲＦＩＤタグ３３０を回収する。図４０では、蓋部３２１Ｌが除去された状態を示している。これにより、ＲＦＩＤタグ３３０の取り外しが完了する。
【０２８３】
＜３−４．作用および効果＞
このトナーカートリッジ３００では、取付部３２０において、突起部３２１ＰＡが窪み部３２２ＤＢに挿入されることによりカバー３２１と支持体３２２との間にＲＦＩＤタグ３３０が挟まれた状態において、貫通口３２２Ｈおよび挿入口３２１Ｈにこの順に挿入ピン３２３が挿入されている。この場合には、上記したように、カバー３２１の内部にＲＦＩＤタグ３３０が収容された状態において、そのカバー３２１が支持体３２２に固定されるため、そのＲＦＩＤタグ３３０が支持体３２２に固定される。よって、取り付けの完了後において、ＲＦＩＤタグ３３０が脱落しにくくなるため、そのＲＦＩＤタグ３３０の脱落を防止することができる。
【０２８４】
特に、カバー３２１が旋回軸３２１Ｓを有していると共に、そのカバー３２１が旋回軸３２１Ｓを中心として旋回可能であれば、その旋回軸３２１Ｓを用いてカバー３２１が支持体３２２に対して位置合わせされやすくなると共に、そのカバー３２１の旋回動作を利用してＲＦＩＤタグ３３０を容易に被覆可能である。よって、収納部３１０に対してＲＦＩＤタグ３３０を容易に取り付けることができる。
【０２８５】
また、窪み部３２２ＤＢの幅Ｗ３が突起部３２１ＰＡの幅Ｗ１よりも大きくなっていれば、その突起部３２１ＰＡが窪み部３２２ＤＢに挿入された状態においてカバー３２１が幅方向にスライド可能になる。よって、カバー３２１が支持体３２２に対してより位置合わせされやすくなるため、収納部３１０に対してＲＦＩＤタグ３３０を容易に取り付けることができる。
【０２８６】
この場合には、挿入口３２１Ｈが非貫通口であれば、その挿入口３２１Ｈに対する挿入ピン３２３の挿入動作を利用して突起部３２１ＰＡが押されるため、カバー３２１がよりスライドしやすくなる。よって、収納部３１０に対してＲＦＩＤタグ３３０をより容易に取り付けることができる。
【０２８７】
また、カバー３２１が３個の突起部３２１ＰＣを有していると共に、リブ３２２Ｒ５が３個の開口部３２２Ｆを有していれば、上記したカバー３２１のスライド動作を利用して、３個の突起部３２１ＰＣが３個の開口部３２２Ｆに挿入される。よって、支持体３２２に対してカバー３２１がより強固に固定されるため、そのＲＦＩＤタグ３３０の脱落をより防止することができる。
【０２８８】
また、挿入ピン３２３の長さＬ１が挿入口３２１Ｈの長さＬ２と貫通口３２２Ｈの長さＬ３との和以下であれば、貫通口３２２Ｈの内部に挿入ピン３２３を十分に押し込むことにより、その挿入ピン３２３の後端部が貫通口３２２Ｈから外部に出にくくなる。よって、挿入ピン３２３の挿入後において、貫通口３２２Ｈから挿入ピン３２３がより引き抜かれにくくなるため、より高い効果を得ることができる。
【０２８９】
また、カバー３２１が突起部３２１ＰＢを有しており、工具６００を用いて蓋部３２１Ｌを持ち上げる力に応じて突起部３２１ＰＢが蓋部３２１Ｌから分離可能であれば、ＲＤＩＤタグ３３０の取り付け完了後において、必要に応じてＲＦＩＤタグ３３０が露出されるため、そのＲＦＩＤタグ３３０を回収することができる。
【０２９０】
この場合には、突起部３２１ＰＡと蓋部３２１Ｌとの連結位置においてカバー３２１に切り込み３２１Ｔが設けられていることにより、工具６００を用いて蓋部３２１Ｌを持ち上げる力に応じてカバー３２１が屈曲可能であれば、ＲＦＩＤタグ３３０が露出されやすくなるため、そのＲＦＩＤタグ３３０をより容易に回収することができる。
【０２９１】
トナーカートリッジ３００に関する他の作用および効果は、上記したトナーカートリッジ１００に関する作用および効果と同様である。
【０２９２】
＜４．画像形成ユニット＞
次に、本発明の一実施形態の画像形成ユニットに関して説明する。
【０２９３】
ここで説明する画像形成ユニットは、トナーを用いて現像処理を行うユニットであり、上記したトナーカートリッジ１００に対応するトナーカートリッジ４１０または取付部１２０に対応する取付部５００を備えている。
【０２９４】
＜４−１．構成＞
まず、本発明の一実施形態の画像形成ユニットである画像形成ユニット４００の構成に関して説明する。以下では、上記したトナーカートリッジ１００の構成要素を随時引用する。
【０２９５】
この画像形成ユニット４００の構成としては、以下で説明する３種類の構成例（構成例１〜３）が挙げられる。以下では、上記したトナーカートリッジ１００の構成要素を随時引用する。
【０２９６】
＜４−１−１．構成例１＞
図４１は、構成例１の画像形成ユニット４００の平面構成を模式的に表している。
【０２９７】
この画像形成ユニット４００は、本発明の一実施形態の「トナー収納器」または「トナー収納部」であるトナーカートリッジ４１０と、そのトナーカートリッジ４１０に収納されているトナーを用いて現像処理を行う現像処理部４２０とを備えている。
【０２９８】
［トナーカートリッジ］
トナーカートリッジ４１０の構成は、取付部１２０に代えて取付部５００を備えていることを除いて、上記したトナーカートリッジ１００の構成と同様である。すなわち、メモリ基板１３０は、取付部５００を用いて取り付けられている。このトナーカートリッジ４１０は、例えば、現像処理部４２０に対して着脱可能に装着されている。取付部５００の構成は、取付部１２０の構成と同様である。図４１では、取付部５００を模式的に示しているため、その取付部５００の構成に関する詳細な図示を省略している。
【０２９９】
［現像処理部］
現像処理部４２０は、潜像（静電潜像）を形成すると共に、その静電潜像にトナーを付着させる。
【０３００】
この現像処理部４２０は、例えば、図４１に示したように、筐体４２１の内部に、感光体ドラム４２２と、帯電ローラ４２３と、現像ローラ４２４と、供給ローラ４２５と、現像ブレード４２６と、クリーニングブレード４２７と、光源４２８とを含んでいる。
【０３０１】
感光体ドラム４２２は、例えば、円筒状の導電性支持体と、その導電性支持体の外周面を被覆する光導電層とを含む有機系感光体であり、モータなどの駆動源を介して回転可能である。導電性支持体は、例えば、アルミニウムなどの金属材料のうちのいずれか１種類または２種類以上を含む金属パイプである。光導電層は、例えば、電荷発生層および電荷輸送層などを含む積層体である。感光体ドラム４２２の一部は、筐体４２１に設けられた開口部４２９から露出している。
【０３０２】
帯電ローラ４２３は、例えば、金属シャフトと、その金属シャフトの外周面を被覆する半導電性エピクロロヒドリンゴム層とを含んでいる。この帯電ローラ４２３は、感光体ドラム４２２を帯電させるために、その感光体ドラム４２２に対して圧接されている。
【０３０３】
現像ローラ４２４は、例えば、金属シャフトと、その金属シャフトの外周面を被覆する半導電性ウレタンゴム層とを含んでいる。この現像ローラ４２４は、供給ローラ４２５から供給されるトナーを担持すると共に、感光体ドラム４２２の表面に形成された潜像（静電潜像）にトナーを付着させる。
【０３０４】
供給ローラ４２５は、例えば、金属シャフトと、その金属シャフトの外周面を被覆する半導電性発泡シリコンスポンジ層とを含んでおり、いわゆるスポンジローラである。この供給ローラ４２５は、現像ローラ４２４に摺接しながら、感光体ドラム４２２の表面にトナーを供給する。
【０３０５】
現像ブレード４２６は、現像ローラ４２４の表面に供給されたトナーの厚さを規制する。この現像ブレード４２６は、例えば、現像ローラ４２４から所定の距離を隔てた位置に配置されており、その現像ローラ４２４と現像ブレード４２６との間の距離（間隔）に基づいてトナーの厚さが制御される。また、現像ブレード４２６は、例えば、ステンレスなどの金属材料のうちのいずれか１種類または２種類以上を含んでいる。
【０３０６】
クリーニングブレード４２７は、感光体ドラム４２２の表面に残留した不要なトナーなどを掻き取る。このクリーニングブレード４２７は、例えば、感光体ドラム４２２の延在方向と略平行な方向に延在しており、その感光体ドラム４２２に対して圧接されている。また、クリーニングブレード４２７は、例えば、ウレタンゴムなどの高分子材料のうちのいずれか１種類または２種類以上を含んでいる。
【０３０７】
光源４２８は、筐体４２１に設けられた開口部４３０を通じて感光体ドラム４２２の表面を露光することにより、その感光体ドラム４２２の表面に静電潜像を形成する露光装置である。この光源４２８は、例えば、発光ダイオード（ＬＥＤ）ヘッドであり、ＬＥＤ素子およびレンズアレイなどを含んでいる。ＬＥＤ素子およびレンズアレイは、そのＬＥＤ素子から出力された光（照射光）が感光体ドラム４２２の表面において結像するように配置されている。ただし、画像形成ユニット４００は、例えば、光源４２８を備えていなくてもよい。この場合には、例えば、光源４２８は、画像形成ユニット４００に対して別途取り付けられる。
【０３０８】
＜４−１−２．構成例２＞
図４２は、構成例２の画像形成ユニット４００の平面構成を模式的に表しており、図４１に対応している。
【０３０９】
この画像形成ユニット４００は、取付部５００がトナーカートリッジ４１０に代えて現像処理部４２０に設けられていることを除いて、構成例１の画像形成ユニット４００（図４１参照）と同様の構成を有している。このため、トナーカートリッジ４１０は、取付部５００に対応する取付部１２０を備えていないことを除いて、トナーカートリッジ１００と同様の構成を有している。現像処理部４２０は、取付部５００を備えていることを除いて、構成例１の画像形成ユニット４００における現像処理部４２０と同様の構成を有している。取付部５００の設置位置などは、特に限定されない。
【０３１０】
＜４−１−３．構成例３＞
図４３は、構成例３の画像形成ユニット４００の平面構成を模式的に表しており、図４１に対応している。
【０３１１】
この画像形成ユニット４００は、１個の取付部５００に代えて２個の取付部５００（５００Ａ，５００Ｂ）を備えていることを除いて、構成例１，２の画像形成ユニット４００（図４１および図４２参照）と同様の構成を有している。具体的には、取付部５００Ａは、トナーカートリッジ４１０に設けられていると共に、取付部５００Ｂは、現像処理部４２０に設けられている。すなわち、取付部５００（５００Ａ）を備えているトナーカートリッジ４１０は、構成例１の画像形成ユニット４００におけるトナーカートリッジ４１０と同様の構成を有している。一方、取付部５００（５００Ｂ）を備えている現像処理部４２０は、構成例２の画像形成ユニット４００における現像処理部４２０と同様の構成を有している。
【０３１２】
２個の取付部５００（５００Ａ，５００Ｂ）を用いる場合、取付部５００Ａにより取り付けられているメモリ基板１３０および取付部５００Ｂにより取り付けられているメモリ基板１３０のそれぞれには、互いに共通する情報が記憶されていてもよいし、互いに異なる情報が記憶されていてもよい。
【０３１３】
後者の場合において、取付部５００Ａにより取り付けられているメモリ基板１３０には、例えば、トナーカートリッジ４１０に関する情報およびトナーに関する情報などが記憶されていると共に、取付部５００Ｂにより取り付けられているメモリ基板１３０には、例えば、トナーの色に関する情報およびトナーの容量に関する情報などが記憶されている。
【０３１４】
＜４−２．動作＞
次に、画像形成ユニット４００の動作に関して説明する。
【０３１５】
なお、メモリ基板１３０の取り付け手順に関しては既に説明したので、以下では、そのメモリ基板１３０の取り付け手順に関する説明を省略する。
【０３１６】
この画像形成ユニット４００では、最初に、現像処理部４２０において、感光体ドラム４２２が回転すると、帯電ローラ４２３が回転しながら感光体ドラム４２２の表面に直流電圧を印加する。これにより、感光体ドラム４２２の表面が均一に帯電する。
【０３１７】
続いて、外部から画像形成ユニット４００に供給される画像データに基づいて、光源４２８が感光体ドラム４２２の表面に光を照射する。これにより、感光体ドラム４２２の表面では、光の照射部分において表面電位が減衰（光減衰）するため、その感光体ドラム４２２の表面に静電潜像が形成される。
【０３１８】
一方、トナーカートリッジ４１０に収納されているトナーは、現像処理部４２０に向けて放出される。
【０３１９】
続いて、供給ローラ４２５に電圧が印加されたのち、その供給ローラ４２５が回転する。これにより、供給ローラ４２５の表面にトナーが供給される。
【０３２０】
続いて、現像ローラ４２４に電圧が印加されたのち、その現像ローラ４２４が供給ローラ４２５に対して圧接されながら回転する。これにより、供給ローラ４２５の表面に供給されたトナーが現像ローラ４２４の表面に吸着すると共に、そのトナーが現像ローラ４２４の回転を利用して搬送される。この場合には、現像ローラ４２４の表面に吸着されているトナーの一部が現像ブレード４２６により除去されるため、その現像ローラ４２４の表面に吸着されたトナーの厚さが均一化される。
【０３２１】
最後に、現像ローラ４２４に対して圧接されながら感光体ドラム４２２が回転したのち、その現像ローラ４２４の表面に吸着されていたトナーが感光体ドラム４２２の表面に移行する。これにより、感光体ドラム４２２の表面（静電潜像）にトナーが付着するため、現像処理が完了する。
【０３２２】
＜４−３．作用および効果＞
この画像形成ユニット４００では、取付部１２０と同様の構成を有する取付部５００を備えているため、その取付部５００を用いてメモリ基板１３０が取り付けられている。よって、トナーカートリッジ１００に関して説明した場合と同様の理由により、メモリ基板１３０の脱落を防止することができる。
【０３２３】
画像形成ユニット４００に関する他の作用および効果は、トナーカートリッジ１００に関する作用および効果と同様である。
【０３２４】
なお、画像形成ユニット４００にトナーカートリッジ１００を適用する場合に関して説明したが、そのトナーカートリッジ１００に代えてトナーカートリッジ２００を画像形成ユニット４００に適用してもよい。すなわち、画像形成ユニットは、トナーカートリッジ２００に対応するトナーカートリッジ４１０および取付部２２０に対応する取付部５００を備えていてもよい。この場合には、メモリ基板２３０の脱落を防止することができる。もちろん、構成例３の画像形成ユニット４００では、トナーカートリッジ１００，２００を併用してもよい。
【０３２５】
また、トナーカートリッジ１００に代えてトナーカートリッジ３００を画像形成ユニット４００に適用してもよい。すなわち、画像形成ユニットは、トナーカートリッジ３００に対応するトナーカートリッジ４１０および取付部３２０に対応する取付部５００を備えていてもよい。この場合には、ＲＦＩＤタグ３３０の脱落を防止することができる。もちろん、構成例３の画像形成ユニット４００では、トナーカートリッジ１００，３００を併用してもよい。
【０３２６】
＜５．画像形成装置＞
次に、本発明の一実施形態の画像形成装置に関して説明する。
【０３２７】
ここで説明する画像形成装置は、例えば、トナーを用いて後述する媒体Ｍ（図４４および図４５参照）の表面に画像を形成する装置であり、いわゆる電子写真方式のフルカラープリンタである。媒体Ｍの材質は、特に限定されないが、例えば、紙およびフィルムなどのうちのいずれか１種類または２種類以上である。
【０３２８】
この画像形成装置は、上記した画像形成ユニット４００を備えている。以下では、上記した画像形成ユニット４００の構成要素を随時引用する。
【０３２９】
＜５−１．構成＞
まず、画像形成装置の構成に関して説明する。この画像形成装置の構成としては、以下で説明する２種類の構成例（構成例１，２）が考えられる。
【０３３０】
＜５−１−１．構成例１＞
図４４は、構成例１の画像形成装置の平面構成を表している。構成例１の画像形成装置では、後述する現像部３０にトナーカートリッジ１００，２００のうちの一方または双方が適用されている。この画像形成装置では、媒体Ｍは、搬送経路Ｒ１〜Ｒ５に沿って搬送可能である。図４４では、搬送経路Ｒ１〜Ｒ５のそれぞれを破線で示している。
【０３３１】
具体的には、画像形成装置は、例えば、図４４に示したように、筐体１の内部に、トレイ１０と、送り出しローラ２０と、１または２以上の現像部３０と、転写部４０と、定着部５０と、搬送ローラ６１〜６８と、搬送路切り替えガイド６９，７０とを備えている。
【０３３２】
［筐体］
筐体１は、例えば、金属材料および高分子材料などのうちのいずれか１種類または２種類以上を含んでいる。筐体１には、画像が形成された媒体Ｍを排出するためのスタッカ部２が設けられており、その画像が形成された媒体Ｍは、筐体１に設けられた排出口１Ｈから排出される。
【０３３３】
［トレイおよび送り出しローラ］
トレイ１０は、例えば、筐体１に対して着脱可能に装着されており、媒体Ｍを収納している。送り出しローラ２０は、例えば、Ｙ軸方向に延在しており、そのＹ軸を中心として回転可能である。以降において説明する一連の構成要素のうち、名称中に「ローラ」という文言を含む構成要素は、送り出しローラ２０と同様に、Ｙ軸方向に延在していると共にＹ軸を中心として回転可能である。
【０３３４】
トレイ１０には、例えば、複数の媒体Ｍが積層された状態で収納されている。このトレイ１０に収納されている複数の媒体Ｍは、例えば、送り出しローラ２０によりトレイ１０から１つずつ取り出される。
【０３３５】
トレイ１０の数および送り出しローラ２０の数のそれぞれは、特に限定されないため、１個だけでもよいし、２個以上でもよい。図４４では、例えば、トレイ１０の数が１個であると共に送り出しローラ２０の数が１個である場合を示している。
【０３３６】
［現像部］
現像部３０は、上記した画像形成ユニット４００と同様の構成を有しており、トナーを用いて現像処理を行う。具体的には、現像部３０は、主に、静電潜像を形成すると共に、クーロン力を利用して静電潜像にトナーを付着させる。画像形成ユニット４００の構成は、構成例１〜３のうちのいずれでもよい。もちろん、構成例１〜３のうちの任意の２種類以上が併用されてもよい。また、画像形成ユニット４００にトナーカートリッジ１００が適用されていてもよいし、画像形成ユニット４００にトナーカートリッジ２００が適用されていてもよい。もちろん、画像形成ユニット４００にトナーカートリッジ１００，２００の双方が適用されていてもよい。
【０３３７】
ここでは、画像形成装置は、例えば、４個の現像部３０（３０Ｋ，３０Ｃ，３０Ｍ，３０Ｙ）を備えている。
【０３３８】
現像部３０Ｋ，３０Ｃ，３０Ｍ，３０Ｙのそれぞれは、例えば、筐体１に対して着脱可能に装着されていると共に、後述する中間転写ベルト４１の移動経路に沿って配列されている。ここでは、現像部３０Ｋ，３０Ｃ，３０Ｍ，３０Ｙは、例えば、中間転写ベルト４１の移動方向（矢印Ｆ５）において、上流側から下流側に向かってこの順に配置されている。
【０３３９】
現像部３０Ｋ，３０Ｃ，３０Ｍ，３０Ｙのそれぞれは、例えば、トナーカートリッジに収納されているトナーの種類（色）が異なることを除いて、互いに同様の構成を有している。現像部３０Ｋのトナーカートリッジには、例えば、ブラックトナーが収納されている。現像部３０Ｃのトナーカートリッジには、例えば、シアントナーが収納されている。現像部３０Ｍのトナーカートリッジには、例えば、マゼンタトナーが収納されている。現像部３０Ｙのトナーカートリッジには、例えば、イエロートナーが収納されている。
【０３４０】
［転写部］
転写部４０は、現像部３０により現像処理されたトナーを用いて転写処理を行う。具体的には、転写部４０は、主に、現像部３０により静電潜像に付着されたトナーを媒体Ｍに転写させる。
【０３４１】
この転写部４０は、例えば、中間転写ベルト４１と、駆動ローラ４２と、従動ローラ（アイドルローラ）４３と、バックアップローラ４４と、１または２以上の１次転写ローラ４５と、２次転写ローラ４６と、クリーニングブレード４７とを含んでいる。
【０３４２】
中間転写ベルト４１は、媒体Ｍにトナーが転写される前に、そのトナーが一時的に転写される媒体（中間転写媒体）であり、例えば、無端の弾性ベルトなどである。この中間転写ベルト４１は、例えば、ポリイミドなどの高分子材料のうちのいずれか１種類または２種類以上を含んでいる。なお、中間転写ベルト４１は、駆動ローラ４２、従動ローラ４３およびバックアップローラ４４のそれぞれにより張架された状態において、その駆動ローラ４２の回転に応じて移動可能である。
【０３４３】
駆動ローラ４２は、例えば、モータなどの駆動力を利用して回転可能である。従動ローラ４３およびバックアップローラ４４のそれぞれは、例えば、駆動ローラ４２の回転に応じて回転可能である。
【０３４４】
１次転写ローラ４５は、静電潜像に付着されたトナーを中間転写ベルト４１に転写（１次転写）させる。この１次転写ローラ４５は、中間転写ベルト４１を介して現像部３０（感光体ドラム）に圧接されている。なお、１次転写ローラ４５は、中間転写ベルト４１の移動に応じて回転可能である。
【０３４５】
ここでは、転写部４０は、例えば、上記した４個の現像部３０（３０Ｋ，３０Ｃ，３０Ｍ，３０Ｙ）に対応して、４個の１次転写ローラ４５（４５Ｋ，４５Ｃ，４５Ｍ，４５Ｙ）を含んでいる。また、転写部４０は、１個のバックアップローラ４４に対応して、１個の２次転写ローラ４６を含んでいる。
【０３４６】
２次転写ローラ４６は、中間転写ベルト４１に転写されたトナーを媒体Ｍに転写（２次転写）させる。この２次転写ローラ４６は、バックアップローラ４４に対して圧接されており、例えば、金属製の芯材と、その芯材の外周面を被覆する発泡ゴム層などの弾性層とを含んでいる。なお、２次転写ローラ４６は、中間転写ベルト４１の移動に応じて回転可能である。
【０３４７】
クリーニングブレード４７は、中間転写ベルト４１に対して圧接されており、その中間転写ベルト４１の表面に残留した不要なトナーなどを掻き取る。
【０３４８】
［定着部］
定着部５０は、転写部４０により媒体Ｍに転写されたトナーを用いて定着処理を行う。具体的には、定着部５０は、例えば、転写部４０により媒体Ｍに転写されたトナーを加熱しながら加圧することにより、そのトナーを媒体Ｍに定着させる。
【０３４９】
この定着部５０は、例えば、加熱ローラ５１と、加圧ローラ５２とを含んでいる。
【０３５０】
加熱ローラ５１は、トナーを加熱する。この加熱ローラ５１は、例えば、中空円筒状の金属芯と、その金属芯の表面を被覆する樹脂コートとを含んでいる。金属芯は、例えば、アルミニウムなどの金属材料のうちのいずれか１種類または２種類以上を含んでいる。樹脂コートは、例えば、例えば、テトラフルオロエチレンとパーフルオロアルキルビニルエーテルとの共重合体（ＰＦＡ）およびポリテトラフルオロエチレン（ＰＴＦＥ）などの高分子材料のうちのいずれか１種類または２種類以上を含んでいる。
【０３５１】
加熱ローラ５１（金属芯）の内部には、例えば、ヒータが設置されており、そのヒータは、例えば、ハロゲンランプなどである。加熱ローラ５１の近傍には、例えば、その加熱ローラ５１から離間されるように、サーミスタが配置されている。このサーミスタは、例えば、加熱ローラ５１の表面温度を測定する。
【０３５２】
加圧ローラ５２は、加熱ローラ５１に対して圧接されており、トナーを加圧する。この加圧ローラ５２は、例えば、金属棒などである。金属棒は、例えば、アルミニウムなどの金属材料のうちのいずれか１種類または２種類以上を含んでいる。
【０３５３】
［搬送ローラ］
搬送ローラ６１〜６８のそれぞれは、媒体Ｍの搬送経路Ｒ１〜Ｒ５を介して互いに対向するように配置された一対のローラを含んでおり、送り出しローラ２０により取り出された媒体Ｍを搬送させる。
【０３５４】
媒体Ｍの片面だけに画像が形成される場合には、その媒体Ｍは、例えば、搬送ローラ６１〜６４により搬送経路Ｒ１，Ｒ２に沿って搬送される。また、媒体Ｍの両面に画像が形成される場合には、その媒体Ｍは、例えば、搬送ローラ６１〜６８により搬送経路Ｒ１〜Ｒ５に沿って搬送される。
【０３５５】
［搬送路切り替えガイド］
搬送路切り替えガイド６９，７０は、媒体Ｍに形成される画像の様式（媒体Ｍの片面だけに画像が形成されるか、または媒体Ｍの両面に画像が形成されるか）などの条件に応じて、その媒体Ｍの搬送方向を切り替える。
【０３５６】
＜５−１−２．構成例２＞
図４５は、構成例２の画像形成装置の平面構成を表している。構成例２の画像形成装置では、現像部３０にトナーカートリッジ３００が適用されている。
【０３５７】
具体的には、画像形成装置は、例えば、図４５に示したように、現像部３０がさらに無線通信装置３１を含んでいることを除いて、構成例１の画像形成装置と同様の構成を有している。無線通信装置３１は、主に、ＲＦＩＤタグ３３０と無線通信する。これにより、無線通信装置３１は、ＲＦＩＤタグ３３０に記録されている情報を読み取ると共に、そのＲＦＩＤタグ３３０のメモリ部３３３に情報を書き込む。
【０３５８】
ここでは、画像形成装置は、例えば、４個の現像部３０（３０Ｋ，３０Ｃ，３０Ｍ，３０Ｙ）を備えていることに応じて、４個の無線通信装置３１（３１Ｋ，３１Ｃ，３１Ｍ，３１Ｙ）を備えている。無線通信装置３１Ｋは、現像部３０Ｋに搭載されているＲＦＩＤタグ３３０と無線通信する。無線通信装置３１Ｃは、現像部３０Ｃに搭載されているＲＦＩＤタグ３３０と無線通信する。無線通信装置３１Ｍは、現像部３０Ｍに搭載されているＲＦＩＤタグ３３０と無線通信する。無線通信装置３１Ｙは、現像部３０Ｙに搭載されているＲＦＩＤタグ３３０と無線通信する。
【０３５９】
＜５−２．動作＞
次に、画像形成装置の動作に関して説明する。以下では、上記した画像形成ユニット４００の構成要素を随時引用する。
【０３６０】
媒体Ｍの表面に画像を形成する場合には、画像形成装置は、例えば、以下で説明するように、現像処理、１次転写処理、２次転写処理および定着処理をこの順に行うと共に、必要に応じてクリーニング処理を行う。
【０３６１】
（現像処理）
最初に、トレイ１０に収納された媒体Ｍは、送り出しローラ２０により取り出される。この送り出しローラ２０により取り出された媒体Ｍは、搬送ローラ６１，６２により搬送経路Ｒ１に沿って矢印Ｆ１の方向に搬送される。
【０３６２】
現像部３０Ｋにおいて、上記した画像形成ユニット４００の動作と同様の動作を行う。これにより、静電潜像にブラックトナーが付着する。
【０３６３】
（１次転写処理）
転写部４０において、駆動ローラ４２が回転すると、その駆動ローラ４２の回転に応じて従動ローラ４３およびバックアップローラ４４が回転する。これにより、中間転写ベルト４１が矢印Ｆ５の方向に移動する。
【０３６４】
１次転写処理では、１次転写ローラ４５Ｋに電圧が印加されている。この１次転写ローラ４５Ｋは、中間転写ベルト４１を介して感光体ドラム４２２に対して圧接されているため、上記した現像処理において感光体ドラム４２２の表面（静電潜像）に付着されたブラックトナーは、中間転写ベルト４１の表面に転写される。
【０３６５】
こののち、ブラックトナーが転写された中間転写ベルト４１は、引き続き矢印Ｆ５の方向に移動する。これにより、現像部３０Ｃ，３０Ｍ，３０Ｙおよび１次転写ローラ４５Ｃ，４５Ｍ，４５Ｙにおいて、上記した現像部３０Ｋおよび１次転写ローラ４５Ｋと同様の手順により現像処理および１次転写処理が行われる。よって、中間転写ベルト４１の表面にシアントナー、マゼンタトナーおよびイエロートナーが転写される。
【０３６６】
具体的には、現像部３０Ｃおよび１次転写ローラ４５Ｃにより、中間転写ベルト４１の表面にシアントナーが転写される。続いて、現像部３０Ｍおよび１次転写ローラ４５Ｍにより、中間転写ベルト４１の表面にマゼンタトナーが転写される。続いて、現像部３０Ｙおよび１次転写ローラ４５Ｙにより、中間転写ベルト４１の表面にイエロートナーが転写される。
【０３６７】
もちろん、実際に現像部３０Ｋ，３０Ｃ，３０Ｍ，３０Ｙおよび１次転写ローラ４５Ｋ，４５Ｃ，４５Ｍ，４５Ｙにより現像処理および１次転写処理が行われるかどうかは、画像を形成するために必要な色（色の組み合わせ）に応じて決定される。
【０３６８】
（２次転写処理）
搬送経路Ｒ１に沿って搬送される媒体Ｍは、バックアップローラ４４と２次転写ローラ４６との間を通過する。
【０３６９】
２次転写処理では、２次転写ローラ４６に電圧が印加されている。この２次転写ローラ４６は、媒体Ｍを介してバックアップローラ４４に対して圧接されるため、上記した１次転写処理において中間転写ベルト４１に転写されたトナーは、媒体Ｍに転写される。ここで説明する「トナー」とは、上記したブラックトナー、シアントナー、マゼンタトナーおよびイエロートナーの総称であり、その「トナー」の意味は、以降においても同様である。
【０３７０】
（定着処理）
２次転写処理において媒体Ｍにトナーが転写されたのち、その媒体Ｍは、引き続き搬送経路Ｒ１に沿って矢印Ｆ１の方向に搬送されるため、定着部５０に投入される。
【０３７１】
定着処理では、加熱ローラ５１の表面温度が所定の温度となるように制御されている。加熱ローラ５１に対して圧接されながら加圧ローラ５２が回転すると、その加熱ローラ５１と加圧ローラ５２との間を通過するように媒体Ｍが搬送される。
【０３７２】
これにより、媒体Ｍの表面に転写されたトナーが加熱されるため、そのトナーが溶融する。しかも、溶融状態であるトナーが媒体Ｍに対して圧接されるため、そのトナーが媒体Ｍに対して強固に付着する。
【０３７３】
よって、外部から画像形成装置に供給された画像データに基づいて、媒体Ｍの表面のうちの特定の領域にトナーが定着するため、画像が形成される。
【０３７４】
画像が形成された媒体Ｍは、搬送経路Ｒ２に沿って搬送ローラ６３，６４により矢印Ｆ２の方向に搬送される。これにより、媒体Ｍは、排出口１Ｈからスタッカ部２に排出される。
【０３７５】
なお、媒体Ｍの搬送手順は、その媒体Ｍの表面に形成される画像の様式に応じて変更される。
【０３７６】
例えば、媒体Ｍの両面に画像が形成される場合には、定着部５０を通過した媒体Ｍは、搬送経路Ｒ３〜Ｒ５に沿って搬送ローラ６５〜６８により矢印Ｆ３，Ｆ４の方向に搬送されたのち、搬送経路Ｒ１に沿って搬送ローラ６１，６２により再び矢印Ｆ１の方向に搬送される。この場合において、媒体Ｍが搬送される方向は、搬送路切り替えガイド６９，７０により制御される。これにより、媒体Ｍの裏面（未だ画像が形成されていない面）において、現像処理、１次転写処理、２次転写処理および定着処理が行われる。
【０３７７】
（クリーニング処理）
現像部３０Ｋ，３０Ｃ，３０Ｍ，３０Ｙのそれぞれでは、感光体ドラム４２２の表面に不要なトナーが残留する場合がある。この不要なトナーは、例えば、１次転写処理において用いられたトナーの一部であり、中間転写ベルト４１に転写されずに感光体ドラム４２２の表面に残留したトナーなどである。
【０３７８】
そこで、現像部３０Ｋ，３０Ｃ，３０Ｍ，３０Ｙのそれぞれでは、クリーニングブレード３７に対して圧接されている状態において感光体ドラム４２２が回転するため、その感光体ドラム４２２の表面に残留しているトナーがクリーニングブレード３２７により掻き取られる。よって、感光体ドラム４２２の表面から不要なトナーが除去される。
【０３７９】
また、転写部４０では、１次転写処理において中間転写ベルト４１の表面に移行したトナーの一部が２次転写処理において媒体Ｍの表面に移行されずに、その中間転写ベルト４１の表面に残留する場合がある。
【０３８０】
そこで、転写部４０では、中間転写ベルト４１が矢印Ｆ５の方向に移動する際に、その中間転写ベルト４１の表面に残留したトナーがクリーニングブレード４７により掻き取られる。よって、中間転写ベルト４１の表面から不要なトナーが除去される。
【０３８１】
＜５−３．作用および効果＞
この画像形成装置では、画像形成ユニット４００と同様の構成を有する現像部３０（３０Ｋ，３０Ｃ，３０Ｍ，３０Ｙ）を備えているため、取付部５００を用いてメモリ基板１３０，２３０およびＲＦＩＤタグ３３０が取り付けられている。よって、画像形成ユニット４００に関して説明した場合と同様の理由により、メモリ基板１３０，２３０およびＲＦＩＤタグ３３０の脱落を防止することができる。
【０３８２】
画像形成装置に関する他の作用および効果は、画像形成ユニット４００に関する作用および効果と同様である。
【０３８３】
＜６．変形例＞
図１〜図８に示したトナーカートリッジ１００の構成、図９〜図１５に示したトナーカートリッジ２００および図１６〜図４０に示したトナーカートリッジ３００のそれぞれの構成は、適宜、変更可能である。
【０３８４】
［変形例１］
具体的には、突起部１２１ＰＢの有無、数、位置および立体的形状などは、特に限定されないため、任意に変更可能である。このように有無、数、位置および立体的形状などが限定されないことは、突起部１２１ＰＢに限られず、例えば、リブ１２２Ｒ、壁部１２２Ｗおよび突起部１２２Ｐなどに関しても同様である。この場合においても、メモリ基板１３０の脱落が防止されるため、同様の効果を得ることができる。
【０３８５】
同様に、突起部２２１ＰＢの有無、数、位置および立体的形状などは、特に限定されないため、任意に変更可能である。このように有無、数、位置および立体的形状などが限定されないことは、突起部２２１ＰＢに限られず、例えば、突起部２２２Ｐなどに関しても同様である。この場合においても、メモリ基板２３０の脱落が防止されるため、同様の効果を得ることができる。
【０３８６】
［変形例２］
図２および図３に示した場合には、カバー１２１に開口部１２１ＦＡが設けられていると共に、突起部１２２Ｐを利用してメモリ基板１３０を持ち上げている。この場合には、メモリ基板１３０の取り付け後において、必要に応じてメモリ基板１３０を回収できるようにするために、カバー１２１に開口部１２１ＦＢが設けられていると共に、壁部１２２ＷＡに開口部１２２Ｆが設けられている。
【０３８７】
しかしながら、図２および図３に示した場合には、トナーカートリッジ１００が衝撃を受けることなどに起因して突起部１２２Ｐが意図せずに破損すると、メモリ基板１３０が開口部１２１ＦＡを通じて外部に放出される可能性がある。この場合には、不正な目的（正規の回収以外の目的）のためにユーザなどが意図的に突起部１２２Ｐを破損させることにより、開口部１２２１ＦＡを通じてメモリ基板１３０が取り出される可能性もある。
【０３８８】
そこで、上記したメモリ基板１３０の放出および取り出しを防止するために、カバー１２１に開口部１２１ＦＢを設けないようにしてもよいし、壁部１２２ＷＡに開口部１２２Ｆを設けないようにしてもよい。この場合においても、メモリ基板１３０の脱落が防止されるため、同様の効果を得ることができる。
【０３８９】
［変形例３］
図１〜図６に示した場合には、取付部１２０が１個だけ設けられているため、トナーカートリッジ１００にメモリ基板１３０が１個だけ取り付けられている。
【０３９０】
しかしながら、トナーカートリッジ１００に取り付けられるメモリ基板１３０の数は、特に限定されないため、２個以上の取付部１２０を用いて２個以上のメモリ基板１３０が取り付けられていてもよい。このように２個以上のメモリ基板１３０が取り付けられてもよいことは、画像形成ユニット３００および画像形成装置に関しても同様である。この場合においても、メモリ基板１３０の脱落が防止されるため、同様の効果を得ることができる。
【０３９１】
もちろん、図９〜図１５に示した場合においても、トナーカートリッジ２００に取り付けられるメモリ基板２３０の数は、特に限定されないため、２個以上の取付部２２０を用いて２個以上のメモリ基板２３０が取り付けられていてもよい。また、図１６〜図４０に示した場合においても、トナーカートリッジ３００に取り付けられるＲＦＩＤタグ３３０の数は、特に限定されないため、２個以上の取付部３２０を用いて２個以上のＲＦＩＤタグ３３０が取り付けられていてもよい。
【０３９２】
［変形例４］
図７および図８に示した場合には、挿入ピン１２３は、外力に応じて変形しやすい高分子材料などを含んでいるのに対して、貫通口１２１Ｈが設けられているカバー１２１および貫通口１２２ＨＢが設けられている支持体１２２のそれぞれは、挿入ピン１２３よりも変形しにくい金属材料などを含んでいる。
【０３９３】
しかしながら、カバー１２１および支持体１２２のそれぞれは、外力に応じて変形しやすい高分子材料などを含んでいるのに対して、挿入ピン１２３は、カバー１２１および支持体１２２のそれぞれも変形しにくい金属材料などを含んでいてもよい。この場合においても、カバー１２１および支持体１２２のそれぞれと挿入ピン１２３とが互いにより強固に密着するため、同様の効果を得ることができる。
【０３９４】
もちろん、カバー１２１および支持体１２２のそれぞれと挿入ピン１２３とが互いに強固に密着されるのであれば、カバー１２１、支持体１２２および挿入ピン１２３のそれぞれは、外力に応じて変形しやすい高分子材料などを含んでいてもよい。
【０３９５】
ここで挿入ピン１２３（図７および図８）に関して説明したことは、挿入ピン２２３（図１４および図１５）および挿入ピン３２３（図２８および図３５）に適用されてもよい。
【０３９６】
［変形例５］
図８に示した場合には、挿入ピン１２３は、一律な外径Ｄ２を有しているのに対して、貫通口１２１Ｈ，１２２ＨＢのそれぞれは、互いに異なる２種類の内径Ｄ３，Ｄ４を有している。
【０３９７】
しかしながら、挿入ピン１２３は、上記した２種類の内径Ｄ３，Ｄ４に対応する２種類の外径を有しているのに対して、貫通口１２１Ｈ，１２２ＨＢのそれぞれは、上記した外径Ｄ２に対応する内径を有していてもよい。この場合においても、貫通口１２１Ｈ，１２２ＨＢのそれぞれに挿入ピン１２３が挿入されることにより、カバー１２１および支持体１２２のそれぞれと挿入ピン１２３とが互いにより強固に密着するため、同様の効果を得ることができる。
【０３９８】
もちろん、カバー１２１および支持体１２２のそれぞれと挿入ピン１２３とが互いに強固に密着されるのであれば、挿入ピン１２３は、互いに異なる２種類の外径を有していると共に、貫通口１２１Ｈ，１２２ＨＢのそれぞれも、互いに異なる２種類の内径を有していてもよい。
【０３９９】
ここで貫通口１２１Ｈ，１２２ＨＢおよび挿入ピン１２３に関して説明したことは、例えば、貫通口２２１Ｈ，２２２Ｈおよび挿入ピン２２３に適用されてもよいし、挿入口３２１Ｈ、貫通口３２２Ｈおよび挿入ピン３２３に適用されてもよい。
【０４００】
［変形例６］
図１３に示した貫通口２２１Ｈの開口形状は、特に限定されない。このため、貫通口２２１Ｈの開口形状は、４つの角部が丸みを帯びた矩形に限られず、例えば、４つの角部を有する矩形でもよい。または、貫通口２２１Ｈの開口形状は、例えば、図１３に対応する図４６に示したように、円形でもよい。もちろん、貫通口２２１Ｈの開口形状は、例えば、ここで説明していない他の形状でもよい。これらの場合においても、同様の効果を得ることができる。
【０４０１】
［変形例７］
図２８に示した場合には、挿入口３２１Ｈは、底面３２１Ｎにより閉塞された非貫通口である。しかしながら、挿入口３２１Ｈは、例えば、貫通口でもよい。この場合においても、貫通口３２２Ｈおよび挿入口３２１Ｈにこの順に挿入ピン３２３が挿入されることにより、同様の効果を得ることができる。ただし、挿入口３２１Ｈに対する挿入ピン３２３の挿入動作を利用してカバー３２１をスライドさせるためには、その挿入口３２１Ｈは非貫通口であることが好ましい。挿入ピン３２３より突起部３２１ＰＡが押されるため、カバー３２１がスライドしやすくなるからである。
【０４０２】
以上、一実施形態を挙げながら本発明を説明したが、本発明は上記した一実施形態において説明した態様に限定されず、種々の変形が可能である。
【０４０３】
具体的には、例えば、本発明の一実施形態の画像形成装置の画像形成方式は、中間転写ベルトを用いた中間転写方式に限られず、他の画像形成方式でもよい。他の画像形成方式は、例えば、中間転写ベルトを用いない画像形成方式などである。中間転写ベルトを用いない画像形成方式では、潜像に付着されたトナーが媒体に対して中間転写ベルトを介して間接的に転写されず、その潜像に付着されたトナーが媒体に対して直接的に転写される。
【０４０４】
また、例えば、本発明の一実施形態の画像形成装置は、プリンタに限られず、複写機、ファクシミリおよび複合機などでもよい。
【符号の説明】
【０４０５】
３０…現像部、４０…転写部、５０…定着部、１００，２００，３００，４１０…トナーカートリッジ、１１０，２１０，３１０…収納部、１２０，２２０，３２０，５００（５００Ａ，５００Ｂ）…取付部、１２１，２２１，３２１…カバー、１２１ＰＡ，２２１ＰＡ，３２１ＰＡ…突起部、１２１Ｈ，１２２Ｈ，２２１Ｈ，２２２Ｈ，３２２Ｈ…貫通口、１２２，２２２，３２２…支持体、１２２ＤＡ，２２２ＤＡ，３２２ＤＢ…窪み部、１２３，２２３，３２３…挿入ピン、１３０，２３０…メモリ基板、３２１Ｈ…挿入口，３３０…ＲＦＩＤタグ、４００…画像形成ユニット、４２０…現像処理部。
【図１】
2018077448.tif 000003
【図２】
2018077448.tif 000004
【図３】
2018077448.tif 000005
【図４】
2018077448.tif 000006
【図５】
2018077448.tif 000007
【図６】
2018077448.tif 000008
【図７】
2018077448.tif 000009
【図８】
2018077448.tif 000010
【図９】
2018077448.tif 000011
【図１０】
2018077448.tif 000012
【図１１】
2018077448.tif 000013
【図１２】
2018077448.tif 000014
【図１３】
2018077448.tif 000015
【図１４】
2018077448.tif 000016
【図１５】
2018077448.tif 000017
【図１６】
2018077448.tif 000018
【図１７】
2018077448.tif 000019
【図１８】
2018077448.tif 000020
【図１９】
2018077448.tif 000021
【図２０】
2018077448.tif 000022
【図２１】
2018077448.tif 000023
【図２２】
2018077448.tif 000024
【図２３】
2018077448.tif 000025
【図２４】
2018077448.tif 000026
【図２５】
2018077448.tif 000027
【図２６】
2018077448.tif 000028
【図２７】
2018077448.tif 000029
【図２８】
2018077448.tif 000030
【図２９】
2018077448.tif 000031
【図３０】
2018077448.tif 000032
【図３１】
2018077448.tif 000033
【図３２】
2018077448.tif 000034
【図３３】
2018077448.tif 000035
【図３４】
2018077448.tif 000036
【図３５】
2018077448.tif 000037
【図３６】
2018077448.tif 000038
【図３７】
2018077448.tif 000039
【図３８】
2018077448.tif 000040
【図３９】
2018077448.tif 000041
【図４０】
2018077448.tif 000042
【図４１】
2018077448.tif 000043
【図４２】
2018077448.tif 000044
【図４３】
2018077448.tif 000045
【図４４】
2018077448.tif 000046
【図４５】
2018077448.tif 000047
【図４６】
2018077448.tif 000048